(57)【要約】  ロボット対応の遠隔操作システムは、コントローラと、コントローラによって操作可能な器具と、を備えることができる。器具は、医療用器具であり得る。コントローラは、操作者による作動のために構成されたハンドルを含むことができる。ハンドルは、複数の回転自由度でハンドルの操作を可能にするように構成されたジンバルに取り付けることができる。ジンバルは、ロードセルを含むことができる。ジンバルは、インピーダンス制御するように構成することができる。コントローラはまた、ジンバルに結合され、かつ複数の位置自由度でハンドルの操作を可能にするように構成された位置決めプラットフォームを含むことができる。コントローラは、ジンバル内のロードセルの出力信号に少なくとも部分的に基づいて、アドミタンス制御するように構成され得る。
2021522894.tif 000002
【特許請求の範囲】
【請求項１】
ロボット対応の遠隔操作システムであって、
コントローラ及び前記コントローラによる操作が可能なロボットツールを備え、前記コントローラが、
操作者による作動のために構成されたハンドルと、
前記ハンドルに結合され、複数の自由度で前記ハンドルの操作を可能にするように構成されたジンバルであって、前記ハンドルの操作が前記ロボットツールの対応する操作を引き起こすようにインピーダンス制御するように構成されている、ジンバルと、
前記ジンバルに結合され、複数の自由度で前記ハンドルの操作を可能にするように構成された位置決めプラットフォームであって、前記ハンドルの操作が前記ロボットツールの対応する操作を引き起こすように、アドミタンス制御するように構成されている、位置決めプラットフォームと、を備える、システム。
【請求項２】
前記ロボットツールが、医療用器具である、請求項１に記載のシステム。
【請求項３】
前記ジンバルが、回転関節を介して前記位置決めプラットフォームに結合されている、請求項１に記載のシステム。
【請求項４】
前記ジンバルが、少なくとも３つの回転自由度での前記ハンドルの操作を可能にする、請求項１に記載のシステム。
【請求項５】
前記位置決めプラットフォームが、少なくとも３つの位置自由度での前記ハンドルの操作を可能にする、請求項１に記載のシステム。
【請求項６】
前記ロボットツールに結合されたロボットアームを更に備え、前記ロボットツールが、カテーテル、スコープ、把持具、シーラー、又はカッターのうちの少なくとも１つを含む、請求項１に記載のシステム。
【請求項７】
前記ジンバル内に位置決めされたロードセルを更に備える、請求項１に記載のシステム。
【請求項８】
前記位置決めプラットフォームの前記アドミタンス制御は、前記ロードセルの出力信号に基づく、請求項７に記載のシステム。
【請求項９】
前記ジンバルが、遠位から近位に配設され、関節によって接続された少なくとも第１のリンク、第２のリンク、及び第３のリンクを含み、前記ロードセルが、前記第１のリンク内に位置決めされている、請求項７に記載のシステム。
【請求項１０】
前記関節が、外旋関節である、請求項９に記載のシステム。
【請求項１１】
前記ジンバルが、遠位から近位に配設され、リンクによって接続された少なくとも第１の関節、第２の関節、及び第３の関節を含み、前記ロードセルが、前記第２の関節の遠位に位置決めされている、請求項７に記載のシステム。
【請求項１２】
前記ジンバルが、遠位から近位に配設され、関節によって接続された少なくとも第１のリンク、第２のリンク、及び第３のリンクを含み、前記ロードセルが、前記第３のリンク内に位置決めされている、請求項７に記載のシステム。
【請求項１３】
前記ジンバルが、遠位から近位に配設され、リンクによって接続された少なくとも第１の関節、第２の関節、及び第３の関節を含み、前記ロードセルが、前記第３の関節の近位に位置決めされている、請求項７に記載のシステム。
【請求項１４】
前記ジンバルが、前記ロードセルの近位の構造を遮蔽し、それにより前記ロードセルの遠位端と遮蔽された前記構造との間の機械的短絡を防止するように構成された、前記ロードセルの前記遠位端に取り付けられたカバーを備える、請求項７に記載のシステム。
【請求項１５】
前記ジンバルの関節を制御するために前記ジンバル内に位置決めされたモータを更に備える、請求項１に記載のシステム。
【請求項１６】
前記モータが、ケーブルドライブによって前記関節に接続されている、請求項１５に記載のシステム。
【請求項１７】
前記モータが、前記関節の近位に位置する、請求項１６に記載のシステム。
【請求項１８】
前記位置決めプラットフォームが、少なくとも１つの直動関節を含む、請求項１に記載のシステム。
【請求項１９】
前記直動関節の運動軸が、重力の方向と整列している、請求項１８に記載のシステム。
【請求項２０】
前記ジンバルが、関節によって前記位置決めプラットフォームに結合され、前記関節の軸が、前記重力の方向と整列している、請求項１９に記載のシステム。
【請求項２１】
ロボット対応の遠隔操作システムであって、
コントローラ及び前記コントローラによる操作が可能なロボットツールを備え、前記コントローラが、
操作者による作動のために構成されたハンドルと、
前記ハンドルに結合され、複数の自由度で前記ハンドルの操作を可能にするように構成されたジンバルであって、前記ジンバルが、ロードセルを備え、前記ジンバルの少なくとも２つの軸の動作が、前記ロードセルのどの出力信号にも基づかない、ジンバルと、
前記ジンバルに結合され、複数の自由度で前記ハンドルの操作を可能にするように構成された位置決めプラットフォームと、を備え、
前記ハンドルが、前記ジンバル内の前記ロードセルの出力信号に少なくとも部分的に基づいて、アドミタンス制御するように構成されている、システム。
【請求項２２】
前記ジンバルが、遠位から近位に配設され、関節によって接続された少なくとも第１のリンク、第２のリンク、及び第３のリンクを含み、前記ロードセルが、前記第１のリンク内に位置決めされている、請求項２１に記載のシステム。
【請求項２３】
前記ロードセルの近位の構造を遮蔽し、それにより前記ロードセルの遠位端と遮蔽された前記構造との間の機械的短絡を防止するように構成された、前記ロードセルの前記遠位端に取り付けられたカバーを更に備える、請求項２２に記載のシステム。
【請求項２４】
前記ジンバルが、遠位から近位に配設され、リンクによって接続された少なくとも第１の関節、第２の関節、及び第３の関節を含み、前記ロードセルが、前記第２の関節の遠位に位置決めされている、請求項２１に記載のシステム。
【請求項２５】
前記ジンバルが、遠位から近位に配設され、関節によって接続された少なくとも第１のリンク、第２のリンク、及び第３のリンクを含み、前記ロードセルが、前記第３のリンク内に位置決めされている、請求項２１に記載のシステム。
【請求項２６】
前記ジンバルが、遠位から近位に配設され、リンクによって接続された少なくとも第１の関節、第２の関節、及び第３の関節を含み、前記ロードセルが、前記第３の関節の近位に位置決めされている、請求項２１に記載のシステム。
【請求項２７】
前記ジンバルの関節を制御するために前記ジンバル内に位置決めされたモータを更に備える、請求項２１に記載のシステム。
【請求項２８】
前記モータが、ケーブルドライブによって前記関節に接続されている、請求項２７に記載のシステム。
【請求項２９】
前記モータが、前記関節の近位に位置する、請求項２８に記載のシステム。
【請求項３０】
遠隔操作方法であって、
インピーダンス制御を介してコントローラの回転を駆動することと、
アドミタンス制御を介してコントローラの並進を駆動することと、
インピーダンス及び／又はアドミタンス制御に基づいて前記コントローラからの出力信号を送達することと、
前記出力信号に基づいて前記遠隔操作ツールの運動を駆動することと、を含む、方法。
【請求項３１】
前記出力信号が、前記コントローラのハンドルの前記回転及び／又は位置に基づいている、請求項３０に記載の方法。
【請求項３２】
インピーダンス制御を介して前記コントローラの回転を駆動することが、前記コントローラのハンドルを回転させることを含む、請求項３０に記載の方法。
【請求項３３】
前記ハンドルが、複数の自由度で前記ハンドルの操作を可能にするように構成されたジンバルに取り付けられている、請求項３２に記載の方法。
【請求項３４】
前記ジンバルが、ロードセルを備える、請求項３３に記載の方法。
【請求項３５】
アドミタンス制御を介してコントローラの並進を駆動することが、前記コントローラの前記ハンドルを並進させることを含み、前記アドミタンス制御が、前記ロードセルの出力に基づいている、請求項３４に記載の方法。
【請求項３６】
前記ジンバルが、遠位から近位に配設され、関節によって接続された少なくとも第１のリンク、第２のリンク、及び第３のリンクを含み、前記ロードセルが、前記第１のリンク内に位置決めされている、請求項３５に記載の方法。
【請求項３７】
前記ジンバルが、遠位から近位に配設され、リンクによって接続された少なくとも第１の関節、第２の関節、及び第３の関節を含み、前記ロードセルが、前記第２の関節の遠位に位置決めされている、請求項３５に記載の方法。
【請求項３８】
前記ジンバルが、遠位から近位に配設され、関節によって接続された少なくとも第１のリンク、第２のリンク、及び第３のリンクを含み、前記ロードセルが、前記第３のリンク内に位置決めされている、請求項３５に記載の方法。
【請求項３９】
前記ジンバルが、遠位から近位に配設され、リンクによって接続された少なくとも第１の関節、第２の関節、及び第３の関節を含み、前記ロードセルが、前記第３の関節の近位に位置決めされている、請求項３５に記載の方法。
【請求項４０】
遠隔操作方法であって、
遠隔操作されたロボットツールの対応する操作を引き起こすようにコントローラを操作することを含み、前記コントローラを操作することが、
前記遠隔操作されたロボットツールの対応する操作を引き起こすために、前記コントローラのハンドルをインピーダンス制御を通して少なくとも３つの回転自由度で操作することと、
前記遠隔操作されたロボットツールの対応する操作を引き起こすために、前記コントローラの前記ハンドルをアドミタンス制御を通して少なくとも３つの位置自由度で操作することと、を含む、方法。
【請求項４１】
前記ハンドルを前記少なくとも３つの回転自由度で操作することが、ジンバルを操作することを含む、請求項４０に記載の方法。
【請求項４２】
前記ハンドルを前記少なくとも３つの回転自由度で操作することが、前記ハンドルを少なくともピッチ、ロール、及びヨーで操作することを含む、請求項４０に記載の方法。
【請求項４３】
前記ハンドルを前記少なくとも３つの位置自由度で操作することが、位置決めプラットフォームを操作することを含む、請求項４０に記載の方法。
【請求項４４】
前記ハンドルを前記少なくとも３つの位置自由度で操作することが、前記ハンドルを少なくともｘ方向、ｙ方向、及びｚ方向で操作することを含む、請求項４０に記載の方法。
【請求項４５】
ロボット対応の遠隔操作システムであって、
遠隔操作されたロボットツールを操作するためのマニピュレータであって、前記マニピュレータが、カラムに動作可能に結合された最近位リンクと、最遠位リンクと、を含むリンクによって形成された複数の関節を備え、前記最近位リンクが、前記最遠位リンクよりも前記カラムに近接して位置決めされている、マニピュレータと、
前記複数のリンクのうちの少なくとも１つの内部に位置決めされたロードセルであって、前記複数の関節の第１の組が、前記ロードセルの近位に位置決めされ、前記複数の関節の第２の組が、前記ロードセルの遠位に位置決めされ、前記複数の関節の前記第２の組は、その移動が前記ロードセルからの出力信号に基づかない少なくとも１つの関節を含む、ロードセルと、を備える、システム。
【請求項４６】
前記マニピュレータが、シリアルリンクマニピュレータを備える、請求項４５に記載のシステム。
【請求項４７】
前記マニピュレータが、パラレルリンクマニピュレータを備える、請求項４５に記載のシステム。
【請求項４８】
前記マニピュレータが、前記複数のリンクによって形成されたハンドルと、ジンバルと、位置決めプラットフォームと、を備える、請求項４５に記載のシステム。
【請求項４９】
前記ジンバルが、外旋関節によって前記位置決めプラットフォームに結合されている、請求項４８に記載のシステム。
【請求項５０】
前記ロードセルの近位にある前記複数の関節の前記第１の組が、位置決めプラットフォームの一部である、請求項４５に記載のシステム。
【請求項５１】
前記位置決めプラットフォームの前記操作が、前記ロードセルの出力信号に基づいている、請求項５０に記載のシステム。
【請求項５２】
前記ロードセルの遠位にある前記複数の関節の前記第２の組が、ジンバルの一部である、請求項４５に記載のシステム。
【請求項５３】
ロボット対応のシステムであって、
コントローラであって、
操作者による作動のために構成されたハンドルと、
前記ハンドルに結合され、複数の自由度で前記ハンドルの操作を可能にするように構成されたジンバルであって、インピーダンス制御するように構成されている、ジンバルと、
前記ジンバルに結合され、複数の自由度で前記ハンドルの操作を可能にするように構成された位置決めプラットフォームであって、アドミタンス制御するように構成されている、位置決めプラットフォームと、を備える、コントローラを備える、システム。
【請求項５４】
前記コントローラが、遠隔操作されたロボットツールを操作する、請求項５３に記載のシステム。
【請求項５５】
前記コントローラが、仮想環境内で物体を操作する、請求項５３に記載のシステム。
【発明の詳細な説明】
【技術分野】
【０００１】
本出願は、コントローラに関し、具体的には、医療システムを含むロボット対応の遠隔操作システムのためのコントローラに関する。
【背景技術】
【０００２】
腹腔鏡検査などの医療処置は、患者の内部領域にアクセスし、可視化することを伴い得る。腹腔鏡手術では、腹腔鏡アクセスポートを通して医療用器具を内部領域に挿入することができる。
【０００３】
特定の処置では、ロボット対応の医療システムを使用して、器具及びそのエンドエフェクタの挿入及び／又は操作を制御することができる。ロボット対応の医療システムは、ロボットアーム、又は他の器具位置決めデバイスを含んでもよい。ロボット対応の医療システムはまた、処置中の器具の位置決めを制御するために使用されるコントローラを含んでもよい。
【発明の概要】
【課題を解決するための手段】
【０００４】
第１の態様では、ロボット対応の遠隔操作システムが説明される。システムは、コントローラ、及びコントローラによる操作が可能なロボットツールと、を備える。コントローラは、操作者による作動のために構成されたハンドルと、ハンドルに結合され、複数の自由度でハンドルの操作を可能にするように構成されたジンバルであって、ハンドルの操作がロボットツールの対応する操作を引き起こすようにインピーダンス制御するように構成されている、ジンバルと、ジンバルに結合され、かつ複数の自由度でハンドルの操作を可能にするように構成された位置決めプラットフォームと、を備える。位置決めプラットフォームは、ハンドルの操作がロボットツールの対応する操作を引き起こすように、アドミタンス制御するように構成されている。
【０００５】
システムは、以下の特徴のうちの１つ又は２つ以上を任意の組み合わせで含んでもよい：（ａ）ロボットツールは、医療用器具であること、（ｂ）ジンバルは、回転関節を介して位置決めプラットフォームに結合されていること、（ｃ）ジンバルは、少なくとも３つの回転自由度でのハンドルの操作を可能にすること、（ｄ）位置決めプラットフォームは、少なくとも３つの位置自由度でのハンドルの操作を可能にすること、（ｅ）ロボットアームは、ロボットツールに結合され、ロボットツールは、カテーテル、スコープ、グラスパー、シーラー、又はカッターのうちの少なくとも１つを含むこと、（ｆ）ロードセルは、ジンバル内に位置決めされること、（ｇ）位置決めプラットフォームのアドミタンス制御は、ロードセルの出力信号に基づくこと、（ｈ）ジンバルは、遠位から近位に配設され、関節によって接続された少なくとも第１のリンク、第２のリンク、及び第３のリンクを含み、ロードセルは、第１のリンク内に位置決めされていること、（ｉ）関節は、外旋関節であること、（ｊ）ジンバルは、遠位から近位に配設され、リンクによって接続された少なくとも第１の関節、第２の関節、及び第３の関節を含み、ロードセルは、第２の関節の遠位に位置決めされていること、（ｋ）ジンバルは、遠位から近位に配設され、関節によって接続された少なくとも第１のリンク、第２のリンク、及び第３のリンクを含み、ロードセルは、第３のリンク内に位置決めされていること、（ｌ）ジンバルは、遠位から近位に配設され、リンクによって接続された少なくとも第１の関節、第２の関節、及び第３の関節を含み、ロードセルは、第３の関節の近位に位置決めされていること、（ｍ）ジンバルは、ロードセルの近位の構造を遮蔽し、それによりロードセルの遠位端と遮蔽された構造との間の機械的短絡を防止する、ロードセルの遠位端に取り付けられたカバーを備えること、（ｎ）ジンバルの関節を制御するためにジンバル内に位置決めされたモータ、（ｏ）モータは、ケーブルドライブによって関節に接続されていること、（ｐ）モータは、関節の近位に位置すること、（ｑ）位置決めプラットフォームは、少なくとも１つの直動関節を含むこと、（ｒ）直動関節の運動軸は、重力の方向と整列していること、及び／又は（ｓ）ジンバルは、関節によって位置決めプラットフォームに結合されており、関節の軸は、重力の方向と整列していること。
【０００６】
別の態様では、ロボット対応の遠隔操作システムは、コントローラ、及びコントローラによる操作が可能なロボットツールを備える。コントローラは、操作者による作動のために構成されたハンドルと、ハンドルに結合され、複数の自由度でハンドルの操作を可能にするように構成されたジンバルであって、ジンバルが、ロードセルを備え、ジンバルの少なくとも２つの軸の動作が、ロードセルのどの出力信号にも基づかない、ジンバルと、ジンバルに結合され、かつ複数の自由度でハンドルの操作を可能にするように構成された位置決めプラットフォームと、を備える。ハンドルは、ジンバル内のロードセルの出力信号に少なくとも部分的に基づいて、アドミタンス制御するように構成されている。
【０００７】
システムは、以下の特徴のうちの１つ又は２つ以上を任意の組み合わせで含んでもよい：（ａ）ジンバルは、遠位から近位に配設され、関節によって接続された少なくとも第１のリンク、第２のリンク、及び第３のリンクを含み、ロードセルが、第１のリンク内に位置決めされていること、（ｂ）ロードセルの近位の構造を遮蔽し、それによりロードセルの遠位端と遮蔽された構造との間の機械的短絡を防止する、ロードセルの遠位端に取り付けられたカバー、（ｃ）ジンバルは、遠位から近位に配設され、リンクによって接続された少なくとも第１の関節、第２の関節、及び第３の関節を含み、ロードセルは、第２の関節の遠位に位置決めされていること、（ｄ）ジンバルは、遠位から近位に配設され、関節によって接続された少なくとも第１のリンク、第２のリンク、及び第３のリンクを含み、ロードセルは、第３のリンク内に位置決めされていること、（ｅ）ジンバルは、遠位から近位に配設され、リンクによって接続された少なくとも第１の関節、第２の関節、及び第３の関節を含み、ロードセルは、第３の関節の近位に位置決めされていること、（ｆ）ジンバルの関節を制御するためにジンバル内に位置決めされたモータ、（ｇ）モータは、ケーブルドライブによって関節に接続されていること、及び／又は（ｈ）モータは、関節の近位に位置すること。
【０００８】
別の態様では、遠隔操作方法であって、インピーダンス制御を介してコントローラの回転を駆動することと、アドミタンス制御を介してコントローラの並進を駆動することと、インピーダンス及び／又はアドミタンス制御に基づいてコントローラからの出力信号を送達することと、出力信号に基づいて遠隔操作ツールの運動を駆動することと、を伴うか、又はそれを含む、遠隔操作方法が提供される。
【０００９】
本方法は、以下の特徴のうちの１つ又は２つ以上を任意の組み合わせで含んでもよい：（ａ）出力信号は、コントローラのハンドルの回転及び／又は位置に基づくこと、（ｂ）インピーダンス制御を介してコントローラの回転を駆動することは、コントローラのハンドルを回転させることを含むこと、（ｃ）ハンドルは、複数の自由度でハンドルの操作を可能にするように構成されたジンバルに取り付けられていること、（ｄ）ジンバルは、ロードセルを備えること、（ｅ）アドミタンス制御を介してコントローラの並進を駆動することは、コントローラのハンドルを並進させることを含み、アドミタンス制御は、ロードセルの出力に基づいていること、（ｆ）ジンバルは、遠位から近位に配設され、関節によって接続された少なくとも第１のリンク、第２のリンク、及び第３のリンクを含み、ロードセルは、第１のリンク内に位置決めされていること、（ｇ）ジンバルは、遠位から近位に配設され、リンクによって接続された少なくとも第１の関節、第２の関節、及び第３の関節を含み、ロードセルは、第２の関節の遠位に位置決めされていること、（ｈ）ジンバルは、遠位から近位に配設され、関節によって接続された少なくとも第１のリンク、第２のリンク、及び第３のリンクを含み、ロードセルは、第３のリンク内に位置決めされていること、及び／又は（ｉ）ジンバルは、遠位から近位に配設され、リンクによって接続された少なくとも第１の関節、第２の関節、及び第３の関節を含み、ロードセルは、第３の関節の近位に位置決めされていること。
【００１０】
別の態様では、遠隔操作方法であって、遠隔操作されたロボットツールの対応する操作を引き起こすようにコントローラを操作することを含み、コントローラを操作することが、遠隔操作されたロボットツールの対応する操作を引き起こすために、コントローラのハンドルをインピーダンス制御を通して少なくとも３つの回転自由度で操作することと、遠隔操作されたロボットツールの対応する操作を引き起こすために、コントローラのハンドルをアドミタンス制御を通して少なくとも３つの位置自由度で操作することと、を含む、方法、が提供される。
【００１１】
本方法は、以下の特徴のうちの１つ又は２つ以上を任意の組み合わせで含んでもよい：（ａ）ハンドルを少なくとも３つの回転自由度で操作することは、ジンバルを操作することを含むこと、（ｂ）ハンドルを少なくとも３つの回転自由度で操作することは、ハンドルを少なくともピッチ、ロール、及びヨーで操作することを含むこと、（ｃ）ハンドルを少なくとも３つの位置自由度で操作することは、位置決めプラットフォームを操作することを含むこと、及び／又は（ｄ）ハンドルを少なくとも３つの位置自由度で操作することは、ハンドルを少なくともｘ方向、ｙ方向、及びｚ方向で操作することを含むこと。
【００１２】
別の態様では、ロボット対応の遠隔操作システムは、遠隔操作されたロボットツールを操作するためのマニピュレータであって、マニピュレータが、カラムに動作可能に結合された最近位リンクと、遠位リンクと、を含むリンクによって形成された複数の関節を備え、最近位リンクは、最遠位リンクよりもカラムに近接して位置決めされている、マニピュレータを含む。システムはまた、複数のリンクのうちの少なくとも１つの内部に位置決めされたロードセルを含む。複数の関節の第１の組は、ロードセルの近位に位置決めされ、複数の関節の第２の組は、ロードセルの遠位に位置決めされ、複数の関節の第２の組は、その移動がロードセルからの出力信号に基づかない少なくとも１つの関節を含む。
【００１３】
システムは、以下の特徴のうちの１つ又は２つ以上を任意の組み合わせで含んでもよい：（ａ）マニピュレータは、シリアルリンクマニピュレータを備えること、（ｂ）マニピュレータは、パラレルリンクマニピュレータを備えること、（ｃ）マニピュレータは、複数のリンクによって形成されたハンドルと、ジンバルと、位置決めプラットフォームとを備えること、（ｄ）ジンバルは、外旋関節によって位置決めプラットフォームに結合されていること、（ｅ）ロードセルの近位にある複数の関節の第１の組は、位置決めプラットフォームの一部であること、（ｆ）位置決めプラットフォームの操作は、ロードセルの出力信号に基づいていること、及び／又は（ｇ）ロードセルの遠位にある複数の関節の第２の組は、ジンバルの一部であること。
【００１４】
別の態様では、ロボット対応のシステムは、コントローラであって、操作者によって作動するように構成されたハンドルと、ハンドルに結合され、複数の自由度でハンドルの操作を可能にするように構成されたジンバルであって、インピーダンス制御するように構成されている、ジンバルと、ジンバルに結合され、複数の自由度でハンドルの操作を可能にするように構成された位置決めプラットフォームであって、アドミタンス制御するように構成されている、位置決めプラットフォームと、を備える、コントローラを含む。いくつかの実施形態では、コントローラは、遠隔操作されたロボットツールを操作する。いくつかの実施形態では、コントローラは、仮想環境内で物体を操作する。
【図面の簡単な説明】
【００１５】
開示される態様は、以下、添付の図面と併せて説明され、開示された態様を例示するが、これに限定するものではなく、同様の表記は同様の要素を示す。
【図１】診断及び／又は治療用気管支鏡検査処置（複数可）のために配設されたカートベースのロボットシステムの実施形態である。
【図２】図１のロボットシステムの更なる態様である。
【図３】尿管鏡検査のために配設された図１のロボットシステムの実施形態である。
【図４】血管処置のために配設された図１のロボットシステムの実施形態である。
【図５】気管支鏡検査処置のために配設されたテーブルベースのロボットシステムの実施形態である。
【図６】図５のロボットシステムの代替的な図である。
【図７】ロボットアーム（複数可）を格納するように構成された例示的なシステムである。
【図８】尿管鏡検査処置のために構成されたテーブルベースのロボットシステムの実施形態である。
【図９】腹腔鏡処置のために構成されたテーブルベースのロボットシステムの実施形態である。
【図１０】ピッチ又は傾斜調整を備えた図５〜図９のテーブルベースのロボットシステムの実施形態である。
【図１１】図５〜図１０のテーブルベースのロボットシステムのテーブルとカラムとの間のインターフェースの詳細な例示である。
【図１２】例示的な器具ドライバである。
【図１３】対の器具ドライバを備えた例示的な医療用器具である。
【図１４】駆動ユニットの軸が器具の細長いシャフトの軸に平行である、器具ドライバ及び器具の代替的な設計である。
【図１５】例示的な実施形態による、図１３及び図１４の器具の位置のような、図１〜図１０のロボットシステムの１つ又は２つ以上の要素の位置を推定する位置特定システムを示すブロック図である。
【図１６Ａ】ロボット対応の医療用器具のためのコントローラを含むロボット対応の医療システムの一実施形態を示すブロック図である。
【図１６Ｂ】ハイブリッドインピーダンス及びアドミタンス制御のために構成され得る図１６Ａのコントローラの一実施形態を示すブロック図である。
【図１６Ｃ】２つのジンバル及び位置決めプラットフォームを含むコントローラの一実施形態の等角図である。
【図１７】コントローラのためのジンバルの一実施形態の等角図である。
【図１８】第１の位置にロードセルを含むジンバルの第１の実施形態の等角断面図である。
【図１９Ａ】第２の位置にロードセルを含むジンバルの第２の実施形態の等角断面図である。
【図１９Ｂ】ケーブル駆動システムの実施形態を示すための、透明カバーを備えた図１９Ａの第２の実施形態の等角図である。
【図２０Ａ】機械的短絡の例である。
【図２０Ｂ】機械的短絡の可能性を低減するように構成されたジンバルのためのカバーの一例である。
【図２０Ｃ】一実施形態による、機械的短絡を引き起こすことなく接触させることができる図１８のジンバルの第１の実施形態におけるカバーの範囲を示す。
【図２０Ｄ】一実施形態による、機械的短絡を引き起こすことなく接触させることができる図１９Ａ及び図１９Ｂのジンバルの第２の実施形態におけるカバーの範囲を示す。
【図２１】コントローラ方法の一実施形態を示すフローチャートである。
【図２２】コントローラ方法の別の実施形態を示すフローチャートである。
【発明を実施するための形態】
【００１６】
１．概論
本開示の態様は、腹腔鏡検査などの低侵襲性、及び内視鏡検査などの非侵襲性の両方の処置を含む、様々な医療処置を行うことができるロボット対応の医療システムに統合され得る。内視鏡検査処置のうち、システムは、気管支鏡検査、尿管鏡検査、胃鏡検査など行うことが可能であり得る。
【００１７】
幅広い処置を実行することに加えて、システムは、医師を支援するための強調された撮像及び誘導などの追加の利益を提供することができる。加えて、システムは、厄介なアーム運動及び位置を必要とせずに、人間工学的位置から処置を行う能力を医師に提供することができる。また更に、システムは、システムの器具のうちの１つ又は２つ以上が単一のユーザによって制御され得るように、改善された使いやすさで処置を行う能力を医師に提供することができる。
【００１８】
以下、説明を目的として、図面と併せて、様々な実施形態が説明される。開示された概念の多くの他の実施態様が可能であり、開示された実施態様で様々な利点が達成され得ることを理解されたい。見出しが、参照のために本明細書に含まれ、様々なセクションの位置を特定する支援となる。これらの見出しは、それに関して説明される概念の範囲を限定することを意図するものではない。そのような概念は、本明細書全体にわたって適用可能性を有し得る。
【００１９】
Ａ．ロボットシステム−カート
ロボット対応の医療システムは、特定の処置に応じて様々な方法で構成され得る。図１は、診断及び／又は治療用気管支鏡検査処置のために配設された、カートベースのロボット対応のシステム１０の実施形態を示す。気管支鏡検査の間、システム１０は、気管支鏡検査のための処置特有の気管支鏡であり得る操縦可能な内視鏡１３などの医療用器具を、診断及び／又は治療用具を送達するための自然オリフィスアクセスポイント（すなわち、本実施例ではテーブル上に位置決めされた患者の口）に送達するための１つ若しくは２つ以上のロボットアーム１２を有するカート１１を含み得る。図示のように、カート１１は、アクセスポイントへのアクセスを提供するために、患者の上部胴体に近接して位置決めされ得る。同様に、ロボットアーム１２は、アクセスポイントに対して気管支鏡を位置決めするために作動され得る。図１の配置はまた、胃腸管（gastro-intestinal、ＧＩ）処置を胃鏡、ＧＩ処置のための特殊な内視鏡を用いて行うときに利用され得る。図２は、カートの例示的な実施形態をより詳細に描画する。
【００２０】
図１を引き続き参照すると、一旦カート１１が適切に位置決めされると、ロボットアーム１２は、操縦可能な内視鏡１３をロボットで、手動で、又はそれらの組み合わせで患者内に挿入することができる。図示のように、操縦可能な内視鏡１３は、内側リーダー部分及び外側シース部分などの少なくとも２つの入れ子式部品を含んでもよく、各部分は、器具ドライバのセット２８とは別個の器具ドライバに結合され、各器具ドライバは、個々のロボットアームの遠位端に結合されている。リーダー部分をシース部分と同軸上に整列させるのを容易にする器具ドライバ２８のこの直線配置は、１つ若しくは２つ以上のロボットアーム１２を異なる角度及び／又は位置に操作することによって空間内に再位置決めされ得る「仮想レール」２９を形成する。本明細書に記載される仮想レールは、破線を使用して図に示されており、したがって破線は、システムのいずれの物理的構造も示さない。仮想レール２９に沿った器具ドライバ２８の並進は、外側シース部分に対して内側リーダー部分を入れ子にするか、又は内視鏡１３を患者から前進又は後退させる。仮想レール２９の角度は、臨床用途又は医師の好みに基づいて調整、並進、及び枢動されてもよい。例えば、気管支鏡検査では、示されるような仮想レール２９の角度及び位置は、内視鏡１３を患者の口内に曲げ入れることによる摩擦を最小限に抑えながら内視鏡１３への医師のアクセスを提供する妥協を表す。
【００２１】
内視鏡１３は、対象の目的地又は手術部位に到達するまで、ロボットシステムからの正確なコマンドを使用して挿入後に患者の気管及び肺の下流に指向されてもよい。患者の肺網を通したナビゲーションを高め、及び／又は所望の標的に到達するために、内視鏡１３を操作して、内側リーダー部分を外側シース部分から入れ子状に延在させて、高められた関節運動及びより大きな曲げ半径を得てもよい。別個の器具ドライバ２８の使用により、リーダー部分及びシース部分が互いに独立して駆動されることも可能にする。
【００２２】
例えば、内視鏡１３は、例えば、患者の肺内の病変又は小結節などの標的に生検針を送達するように指向されてもよい。針は、内視鏡の長さにわたる作業チャネルの下流に展開されて、病理医によって分析される組織試料を得てもよい。病理の結果に応じて、追加の生検のために追加のツールが内視鏡の作業チャネルの下流に展開されてもよい。小結節を悪性と特定した後、内視鏡１３は、潜在的な癌組織を切除するために器具を内視鏡的に送達してもよい。場合によっては、診断及び治療的処置は、別個の処置で送達される必要があってもよい。これらの状況において、内視鏡１３はまた、標的小結節の位置を「マーク」するために基準を送達するために使用されてもよい。他の例では、診断及び治療的処置は、同じ処置中に送達されてもよい。
【００２３】
システム１０はまた、支持ケーブルを介してカート１１に接続されて、カート１１への制御、電子機器、流体工学、光学系、センサ、及び／又は電力のためのサポートを提供し得る移動可能なタワー３０を含んでもよい。タワー３０内にこのような機能を置くことにより、動作を行う医師及びそのスタッフが容易に調整及び／又は再位置決めすることができるより小さいフォームファクタのカート１１が可能となる。追加的に、カート／テーブルと支持タワー３０との間の機能の分割は、手術室の乱雑さを低減し、臨床ワークフローの改善を促進する。カート１１は患者に近接して位置決めされてもよいが、タワー３０は、処置中に邪魔にならないように遠隔位置に収容されてもよい。
【００２４】
上述のロボットシステムをサポートするために、タワー３０は、例えば、永続的な磁気記憶ドライブ、ソリッドステートドライブなどの非一時的コンピュータ可読記憶媒体内にコンピュータプログラム命令を記憶するコンピュータベースの制御システムの構成要素（複数可）を含んでもよい。これらの命令の実行は、実行がタワー３０内で行われるのか又はカート１１内で行われるかにかかわらず、そのシステム又はサブシステム（複数可）全体を制御してもよい。例えば、コンピュータシステムのプロセッサによって実行される場合、命令は、ロボットシステムの構成要素に、関連するキャリッジ及びアームマウントを作動させ、ロボットアームを作動させ、医療用器具を制御させてもよい。例えば、制御信号を受信したことに応答して、ロボットアームの関節内のモータは、アームをある特定の姿勢に位置決めしてもよい。
【００２５】
タワー３０はまた、内視鏡１３を通して展開され得るシステムに制御された灌注及び吸引能力を提供するために、ポンプ、流量計、弁制御、及び／又は流体アクセスを含んでもよい。これらの構成要素はまた、タワー３０のコンピュータシステムを使用して制御されてもよい。いくつかの実施形態では、灌注及び吸引能力は、別個のケーブル（複数可）を介して内視鏡１３に直接送達されてもよい。
【００２６】
タワー３０は、フィルタリングされ、保護された電力をカート１１に提供するように設計された電圧及びサージ保護具を含んでもよく、それによって、カート１１内に電力変圧器及び他の補助電力構成要素を配置を回避することが回避され、カート１１はより小さく、より移動可能になる。
【００２７】
タワー３０はまた、ロボットシステム１０全体に展開されたセンサのための支持機器を含んでもよい。例えば、タワー３０は、ロボットシステム１０を通して光センサ又はカメラから受信したデータを検出、受信、及び処理するためのオプトエレクトロニクス機器を含んでもよい。制御システムと組み合わせて、このようなオプトエレクトロニクス機器は、タワー３０内を含むシステム全体に展開された任意の数のコンソール内に表示するためのリアルタイム画像を生成するために使用されてもよい。同様に、タワー３０はまた、展開された電磁（electromagnetic、ＥＭ）センサから受信した信号を受信及び処理するための電子サブシステムを含んでもよい。タワー３０はまた、医療用器具内又は医療用器具上のＥＭセンサによる検出のためにＥＭ場発生器を収容し、位置決めするために使用されてもよい。
【００２８】
タワー３０はまた、システムの残りの部分で利用可能な他のコンソール、例えば、カートの上部に装着されたコンソールに追加して、コンソール３１を含んでもよい。コンソール３１は、医師操作者のためのユーザインターフェース及びタッチスクリーンなどの表示画面を含んでもよい。システム１０内のコンソールは、一般に、ロボット制御、並びに内視鏡１３のナビゲーション情報及び位置特定情報などの処置の術前及びリアルタイム情報の両方を提供するように設計される。コンソール３１が医師に利用可能な唯一のコンソールではないと場合、コンソール３１は、看護師などの第２の操作者によって使用されて、患者の健康又は生命及びシステムの動作を監視し、並びにナビゲーション及び位置特定情報などの処置固有のデータを提供してもよい。他の実施形態では、コンソール３０は、タワー３０とは別個の本体内に収容される。
【００２９】
タワー３０は、１つ又は２つ以上のケーブル又は接続（図示せず）を介してカート１１及び内視鏡１３に結合されてもよい。いくつかの実施形態では、タワー３０からの支持機能は、単一ケーブルを通してカート１１に提供されることにより、手術室を簡略化し、整理整頓することができる。他の実施形態では、特定の機能は、別個のケーブリング及び接続で結合されてもよい。例えば、単一の電力ケーブルを通してカートに電力が供給されてもよい一方、制御、光学、流体工学、及び／又はナビゲーションのためのサポートは、別個のケーブルを通して提供されてもよい。
【００３０】
図２は、図１に示されるカートベースのロボット対応のシステムからのカートの実施形態の詳細な図を提供する。カート１１は、概して、細長い支持構造１４（「カラム」と称されることが多い）、カート基部１５、及びカラム１４の頂部にあるコンソール１６を含む。カラム１４は、１つ又は２つ以上のロボットアーム１２（図２には３つ示されている）の展開を支持するためのキャリッジ１７（代替的に「アーム支持体」）などの１つ又は２つ以上のキャリッジを含んでもよい。キャリッジ１７は、患者に対してより良好に位置決めするために、ロボットアーム１２の基部を調整する、垂直軸に沿って回転する個別に構成可能なアームマウントを含んでもよい。キャリッジ１７はまた、キャリッジ１７がカラム１４に沿って垂直方向に並進することを可能にするキャリッジインターフェース１９を含む。
【００３１】
キャリッジインターフェース１９は、キャリッジ１７の垂直方向の並進を案内するためにカラム１４の両側に位置決めされたスロット２０などのスロットを通してカラム１４に接続されている。スロット２０は、カート基部１５に対して様々な垂直方向の高さでキャリッジを位置決め及び保持するための垂直方向の並進インターフェースを含む。キャリッジ１７の垂直方向の並進により、カート１１は、様々なテーブルの高さ、患者のサイズ、及び医師の好みを満たすようにロボットアーム１２の到達を調整することが可能となる。同様に、キャリッジ１７上の個別に構成可能なアームマウントにより、ロボットアーム１２のロボットアーム基部２１を様々な構成で角度付けさすることが可能となる。
【００３２】
いくつかの実施形態では、キャリッジ１７が垂直方向に並進する際に、カラム１４の内部チャンバ及び垂直方向の並進インターフェース内に汚れ及び流体が侵入するのを防止するために、スロット２０には、スロット表面と同一平面及び平行であるスロットカバーが追加されてもよい。スロットカバーは、スロット２０の垂直方向の頂部及び底部付近に位置決めされたばねスプールの対を通じて展開されてもよい。カバーは、スプール内でコイル巻きにされており、キャリッジ１７が垂直方向に上下に並進して初めて展開して、それらのコイル状態から延伸及び後退する。スプールのばね荷重は、キャリッジ１７がスプールに向かって並進するときにカバーをスプール内に後退させるための力を提供する一方で、キャリッジ１７がスプールから離れるように並進するときに密封も維持する。カバーは、キャリッジ１７が並進する際にカバーが適切に延伸及び後退するのを確実にするために、例えば、キャリッジインターフェース１９内のブラケットを使用してキャリッジ１７に接続されてもよい。
【００３３】
カラム１４は、例えば、コンソール１６からの入力などのユーザ入力に応答して生成された制御信号に応答してキャリッジ１７を機械的に並進させるために垂直方向に整列した主ねじを使用するように設計された、歯車及びモータなどの機構を内部的に含んでもよい。
【００３４】
ロボットアーム１２は、一般に、一連の関節２４によって接続されている一連の連結部２３によって分離されたロボットアーム基部２１及びエンドエフェクタ２２を含んでもよく、各関節は独立したアクチュエータを含み、各アクチュエータは、独立して制御可能なモータを含む。それぞれ独立して制御可能な関節は、ロボットアームが利用可能な独立した自由度を表す。アーム１２の各々は、７つの関節を有し、したがって、７つの自由度を提供する。多数の関節は、多数の自由度をもたらし、「冗長」自由度を可能にする。冗長自由度は、ロボットアーム１２が、異なる連結位置及び関節角度を使用して空間内の特定の位置、向き、及び軌道で、それらのそれぞれのエンドエフェクタ２２を位置決めすることを可能にする。これにより、システムが空間内の所望のポイントから医療器具を配置及び指向させることが可能になると同時に、医師がアーム関節を患者から離れる臨床的に有利な位置へと移動させて、アームの衝突を回避しながら、よりよいアクセスを生み出すことを可能にする。
【００３５】
カート基部１５は、床の上のカラム１４、キャリッジ１７及びアーム１２の重量の釣り合いをとる。したがって、カート基部１５は、電子機器、モータ、電源、並びにカートの移動及び／又は固定化のいずれかを可能にする構成要素などの、より重い部品を収容する。例えば、カート基部１５は、処置前にカートが部屋の中をあちこちに容易に移動することを可能にする、転動可能なホイール形状のキャスター２５を含む。適切な位置に到達した後、キャスター２５は、処置中にカート１１を定位置に保持するためのホイールロックを使用して静止させられてもよい。
【００３６】
カラム１４の垂直方向の端部に位置決めされた、コンソール１６は、ユーザ入力を受信するためのユーザインターフェース及び表示画面（又は、例えば、タッチスクリーン２６などの二重目的デバイス）の両方を可能にして、術前データ及び術中データの両方を医師であるユーザに提供する。タッチスクリーン２６上の潜在的な術前データは、術前計画、術前コンピュータ断層撮影（ＣＴ）スキャンから導出されたナビゲーション及びマッピングデータ、及び／又は術前の患者への問診からのメモを含んでもよい。ディスプレイ上の術中データは、ツールから提供される光学情報、センサからのセンサ及び座標情報、及び呼吸、心拍数、及び／又はパルスなどの不可欠な患者統計を含んでもよい。コンソール１６は、医師が、キャリッジ１７の反対側のカラム１４側からコンソールにアクセスすることを可能にするように位置決めされ、傾斜が付けられてもよい。この位置から、医師は、コンソール１６をカート１１の背後から操作しながらコンソール１６、ロボットアーム１２及び患者を見ることができる。図示のように、コンソール１６はまた、カート１１の操作及び安定化を支援するハンドル２７を含む。
【００３７】
図３は、尿管鏡検査のために配されたロボット対応のシステム１０の実施形態を示す。尿管鏡検査処置では、カート１１は、患者の尿道及び尿管を横断するように設計された処置専用内視鏡である尿管鏡３２を患者の下腹部領域に送達するように位置決めされてもよい。尿管鏡検査では、尿管鏡３２が患者の尿道と直接整列して、領域内の敏感な解剖学的構造に対する摩擦及び力を低減することが望ましいことがある。図示のように、カート１１は、ロボットアーム１２が尿管鏡３２を、患者の尿道に直接直線状にアクセスするように配置できるように、テーブルの脚部に整列されてもよい。テーブルの脚部から、ロボットアーム１２は、尿道を通して患者の下腹部に直接、仮想レール３３に沿って尿管鏡３２を挿入してもよい。
【００３８】
気管支鏡検査におけるのと同様の制御技法を使用して尿道に挿入した後、尿管鏡３２は、診断及び／又は治療用途のために膀胱、尿管、及び／又は腎臓にナビゲートされてもよい。例えば、尿管鏡３２は、尿管及び腎臓に指向され、尿管鏡３２の作業チャネルの下方に展開されたレーザ又は超音波砕石デバイスを使用して、形成された腎臓結石を破壊することができる。砕石術が完了した後、得られた結石片は、尿管鏡３２の下方に展開されたバスケットを使用して除去されてもよい。
【００３９】
図４は、血管処置のために同様に配されたロボット対応のシステムの実施形態を示す。血管処置において、システム１０は、カート１１が、操縦可能なカテーテルなどの医療用器具３４を、患者の脚内の大腿動脈内のアクセスポイントに送達することができるように構成され得る。大腿動脈は、ナビゲーションのためのより大きな直径と、患者の心臓への比較的迂回性及び蛇行性でない経路との両方を呈し、これによりナビゲーションが単純化する。尿管鏡処置のように、カート１１は、患者の脚及び下腹部に向かって位置決めされて、ロボットアーム１２が患者の大腿／腰領域内の大腿動脈アクセスポイントへの直接的な線形アクセスで仮想レール３５を提供することを可能にしてもよい。動脈内への挿入後、器具ドライバ２８を並進させることによって医療器具３４が指向され、挿入されてもよい。代替的に、カートは、例えば、肩及び手首付近の頚動脈及び腕動脈などの代替的な血管アクセスポイントに到達するために、患者の上腹部の周囲に位置決めされてもよい。
【００４０】
Ｂ．ロボットシステム−テーブル
ロボット対応の医療システムの実施形態はまた、患者テーブルを組み込んでもよい。テーブルの組み込みは、カートを除去することによって手術室内の資本設備の量を低減し、患者へのより大きなアクセスを可能にする。図５は、気管支鏡検査処置のために配されたこのようなロボット対応のシステムの一実施形態を示す。システム３６は、床の上にプラットフォーム３８（「テーブル」又は「ベッド」として図示）を支持するための支持構造体又はカラム３７を含む。カートベースのシステムと同様に、システム３６のロボットアーム３９のエンドエフェクタは、器具ドライバ４２の線形整列から形成された仮想レール４１を通して、又はそれに沿って、図５の気管支鏡４０などの細長い医療用器具を操作するように設計された器具ドライバ４２を含む。実際には、Ｘ線透視撮像を提供するためのＣアームは、放射器及び検出器をテーブル３８の周囲に置くことによって、患者の上部腹部領域の上方に位置決めされてもよい。
【００４１】
図６は、考察目的で患者及び医療用器具なしのシステム３６の代替図を提供する。図示されるように、カラム３７は、１つ又は２つ以上のロボットアーム３９のベースとなり得る、システム３６内でリング形状として図示される１つ又は２つ以上のキャリッジ４３を含んでもよい。キャリッジ４３は、カラム３７の長さにわたる垂直方向のカラムインターフェース４４に沿って並進して、ロボットアーム３９が患者に到達するように位置決めされ得る異なるバンテージポイントを提供してもよい。キャリッジ（複数可）４３は、カラム３７内に位置決めされた機械的モータを使用してカラム３７の周りを回転して、ロボットアーム３９が、例えば、患者の両側などのテーブル３８の複数の側面へのアクセスを有することを可能にしてもよい。複数のキャリッジを有する実施形態では、キャリッジはカラム上に個別に位置決めされてもよく、他のキャリッジとは独立して並進及び／又は回転してもよい。キャリッジ４３はカラム３７を取り囲む必要はなく、又は更には円形である必要はないが、図示されるようなリング形状は、構造的バランスを維持しながらカラム３７の周りでのキャリッジ４３の回転を容易にする。キャリッジ４３の回転及び並進により、システムは、内視鏡及び腹腔鏡などの医療用器具を患者の異なるアクセスポイントに整列させることができる。他の実施形態（図示せず）では、システム３６は、並行して延在するバー又はレールの形態の調節可能なアーム支持体を有する患者テーブル又はベッドを含むことができる。１つ又は２つ以上のロボットアーム３９（例えば、肘関節を有する肩部を介して）を、垂直に調整することができる調節可能なアーム支持体に取り付けることができる。垂直調節を提供することによって、ロボットアーム３９は、有利には、患者テーブル又はベッドの下にコンパクトに収容することができ、その後、処置中に上昇させることができる。
【００４２】
アーム３９は、ロボットアーム３９に追加の構成可能性を提供するために個別に回転及び／又は入れ子式に延在し得る一連の関節を含むアームマウント４５のセットを介してキャリッジに装着されてもよい。加えて、アームマウント４５は、キャリッジ４３が適切に回転されるとき、アームマウント４５がテーブル３８の片側（図６に図示されるように）、テーブル３８の両側（図９に図示されるように）、又はテーブル３８の隣接する側部（図示せず）のいずれかに位置決めされ得るように、キャリッジ４３に位置決めされ得る。
【００４３】
カラム３７は、テーブル３８の支持及びキャリッジの垂直方向の並進のための経路を構造的に提供する。内部に、カラム３７は、キャリッジの垂直方向の並進を案内するための主ねじ、及び主ねじに基づくキャリッジの並進を機械化するためのモータが備えていてもよい。カラム３７はまた、キャリッジ４３及びその上に装着されたロボットアーム３９に電力及び制御信号を伝達してもよい。
【００４４】
テーブル基部４６は、図２に示すカート１１のカート基部１５と同様の機能を果たし、テーブル／ベッド３８、カラム３７、キャリッジ４３し及びロボットアーム３９の釣り合いをとるためにより重い構成要素を収容する。テーブル基部４６はまた、処置中に安定性を提供するために剛性キャスターを組み込んでもよい。テーブル基部４６の底部から展開されるキャスターは、基部４６の両側で反対方向に延在し、システム３６を移動させる必要があるときに後退してもよい。
【００４５】
引き続き図６によれば、システム３６はまた、テーブルとタワーとの間でシステム３６の機能を分割して、テーブルのフォームファクタ及びバルクを低減するタワー（図示せず）を含んでもよい。先に開示された実施形態と同様に、タワーは、処理、計算、及び制御能力、電力、流体光学、並びに／又は光学及びセンサ処理などの様々な支持機能をテーブルに提供してもよい。タワーはまた、医師のアクセスを改善し、手術室を整理整頓するために、患者から離れて位置決めされるように移動可能であってもよい。加えて、タワー内に構成要素を配置することにより、ロボットアームの潜在的な収納のために、テーブル基部内により多くの保管空間を可能にする。タワーはまた、キーボード及び／又はペンダントなどのユーザ入力のためのユーザインターフェース、並びにリアルタイム撮像、ナビゲーション、及び追跡情報などの術前及び術中情報のための表示画面（又はタッチスクリーン）の両方を提供する、マスタコントローラ又はコンソールを含んでもよい。いくつかの実施形態では、タワーはまた、吹送のために使用されるガスタンク用のホルダを含有してもよい。
【００４６】
いくつかの実施形態では、テーブル基部は、使用されていないときにロボットアームを収容して格納してもよい。図７は、テーブルベースのシステムの一実施形態におけるロボットアームを収容するシステム４７を示す。システム４７では、キャリッジ４８は、ロボットアーム５０、アームマウント５１、及びキャリッジ４８を基部４９内に収容するために、基部４９に垂直方向に並進されてもよい。基部カバー５２は、並進及び後退して、キャリッジ４８、アームマウント５１、及びアーム５０をカラム５３の周りに展開させるように開き、使用されていないときにそれらを収容して保護するように閉じられてもよい。基部カバー５２は、閉じたときに汚れ及び流体が侵入するのを防止するために、その開口部の縁部に沿って膜５４で封止されてもよい。
【００４７】
図８は、尿管鏡検査処置のために構成されたロボット対応のテーブルベースのシステムの一実施形態を示す。尿管鏡検査では、テーブル３８は、患者をカラム３７及びテーブル基部４６からオフアングルに位置決めするためのスイベル部分５５を含んでもよい。スイベル部分５５は、スイベル部分５５の底部をカラム３７から離すように位置決めするために、旋回点（例えば、患者の頭部の下に位置）を中心に回転又は旋回してもよい。例えば、スイベル部分５５の旋回により、Ｃアーム（図示せず）が、テーブル３８の下のカラム（図示せず）との空間を奪い合うことなく、患者の下部腹部の上方に位置決めされることを可能にする。カラム３７の周りにキャリッジ３５（図示せず）を回転させることにより、ロボットアーム３９は、尿道に到達するように、仮想レール５７に沿って、鼠径部領域に直接尿管鏡５６を挿入してもよい。尿管鏡検査では、処置中に患者の脚の位置を支持し、患者の鼠径部領域への明確なアクセスを可能にするために、テーブル３８のスイベル部分５５にあぶみ５８が固定されてもよい。
【００４８】
腹腔鏡処置では、患者の腹壁内の小さな切開部（複数可）を通して、低侵襲性器具を患者の解剖学的構造に挿入してもよい。いくつかの実施形態では、低侵襲性器具は、患者内の解剖学的構造にアクセスするために使用されるシャフトなどの細長い剛性部材を含む。患者の腹腔の膨張後、器具は、把持、切断、アブレーション、縫合などの外科的又は医療的タスクを行うように指向されてもよい。いくつかの実施形態では、器具は、腹腔鏡などのスコープを備えることができる。図９は、腹腔鏡検査処置のために構成されたロボット対応のテーブルベースのシステムの一実施形態を示す。図９に図示されるように、システム３６のキャリッジ４３は回転し、垂直方向に調整されて、器具５９が患者の両側の最小切開部を通過して患者の腹腔に到達するようにアームマウント４５を使用して位置決めされ得るように、ロボットアーム３９の対をテーブル３８の両側に位置決めしてもよい。
【００４９】
腹腔鏡処置に対応するために、ロボット対応のテーブルシステムはまた、プラットフォームを所望の角度に傾斜させてもよい。図１０は、ピッチ又は傾斜調整を有するロボット対応の医療システムの実施形態を示す。図１０に図示されるように、システム３６は、テーブル３８の傾斜に適応して、テーブルの一方側の部分を他方側の部分よりも床から長い距離に位置決めすることができる。加えて、アームマウント４５は、アーム３９がテーブル３８と同じ平面関係を維持するように、傾斜に一致するように回転してもよい。急角度に適応するために、カラム３７はまた、テーブル３８が床に接触するか又は基部４６と衝突するのを防ぐためにカラム３７が垂直方向に延びるのを可能にする入れ子部分６０を含んでもよい。
【００５０】
図１１は、テーブル３８とカラム３７との間のインターフェースの詳細な図示を提供する。ピッチ回転機構６１は、カラム３７に対するテーブル３８のピッチ角を複数の自由度で変更するように構成されてもよい。ピッチ回転機構６１は、カラム−テーブルインターフェースでの直交軸１、２の位置決めによって可能にされてもよく、各軸は、電気ピッチ角コマンドに応答して別個のモータ３、４によって作動される。一方のねじ５に沿った回転は、一方の軸１における傾斜調整を可能にし、他方のねじ６に沿った回転は、他方の軸２に沿った傾斜調整を可能にする。いくつかの実施形態では、カラム３７に対するテーブル３８のピッチ角を複数の自由度で変更するために、玉継ぎ手を使用することができる。
【００５１】
例えば、ピッチ調整は、テーブルをトレンデレンブルグ体位に位置決めしようとするときに、すなわち下腹部手術のために患者の下腹部よりも床からより高い位置に患者の下腹部を位置させようとするときに、特に有用である。トレンデレンブルグ体位は、患者の内臓を重力によって自分の上腹部に向かってスライドさせ、低侵襲性ツールが入って腹腔鏡前立腺切除術などの下腹部の外科処置又は医療処置を実施するために、腹腔を空にする。
【００５２】
Ｃ．器具ドライバ及びインターフェース
システムのロボットアームのエンドエフェクタは、（ｉ）医療用器具を作動させるための電気機械的手段を組み込む器具ドライバ（代替的に、「器具駆動機構」又は「器具デバイスマニピュレータ」と称される）と、（ｉｉ）モータなどの任意の電気機械的構成要素を欠いていてもよい除去可能な又は取り外し可能な医療用器具と、を含む。この二分法は、医療処置に使用される医療用器具を滅菌する必要性、それらの複雑な機械的アセンブリ及び敏感な電子機器により、高価な資本設備を十分に滅菌することができないことに牽引され得る。したがって、医療用器具は、医師又は医師のスタッフによる個々の滅菌又は廃棄のために、器具ドライバ（したがってそのシステム）から取り外し、除去、及び交換されるように設計され得る。対照的に、器具ドライバは交換又は滅菌される必要がなく、保護のために掛け布がされ得る。
【００５３】
図１２は、例示的な器具ドライバを示す。ロボットアームの遠位端に位置決めされる器具ドライバ６２は、駆動シャフト６４を介して医療用器具に制御トルクを提供するために平行軸を伴って配された１つ又は２つ以上の駆動ユニット６３を含む。各駆動ユニット６３は、器具と相互作用するための個々の駆動シャフト６４と、モータシャフトの回転を所望のトルクに変換するためのギヤヘッド６５と、駆動トルクを生成するためのモータ６６と、モータシャフトの速度を測定し、制御回路にフィードバックを提供するエンコーダ６７と、制御信号を受信し、駆動ユニットを作動させるための制御回路６８と、を含む。各駆動ユニット６３は独立して制御及び電動化され、器具ドライバ６２は、複数（図１２に図示されるように４つ）の独立した駆動出力を医療用器具に提供してもよい。動作中、制御回路６８は、制御信号を受信し、モータ６６にモータ信号を送信し、エンコーダ６７によって測定された得られたモータ速度を所望の速度と比較し、モータ信号を変調して所望のトルクを生成する。
【００５４】
無菌環境を必要とする処置のために、ロボットシステムは、器具ドライバと医療用器具との間に位置する、無菌ドレープに接続された無菌アダプタなどの駆動インターフェースを組み込んでもよい。無菌アダプタの主な目的は、器具ドライバの駆動シャフトから器具の駆動入力に角度運動を伝達する一方で、駆動シャフトと駆動入力との間の物理的分離、したがって無菌性を維持することである。したがって、例示的な無菌アダプタは、器具ドライバの駆動シャフトと嵌合されることが意図された一連の回転入力部及び出力部と、器具に対する駆動入力部とで構成され得る。無菌アダプタに接続される無菌ドレープは、透明又は半透明プラスチックなどの薄い可撓性材料で構成され、器具ドライバ、ロボットアーム、及び（カートベースのシステムにおける）カート又は（テーブルベースのシステムにおける）テーブルなどの資本設備を覆うように設計される。ドレープの使用により、滅菌を必要としない領域（すなわち、非滅菌野）に依然として位置している間に、資本設備を患者に近接して位置決めすることが可能となる。滅菌ドレープの反対側では、医療用器具は、滅菌（すなわち、滅菌野）を必要とする領域において患者とインターフェースしてもよい。
【００５５】
Ｄ．医療用器具
図１３は、対の器具ドライバを備えた例示的な医療用器具を示す。ロボットシステムと共に使用するために設計された他の器具と同様に、医療用器具７０は、細長いシャフト７１（又は細長い本体）及び器具基部７２を含む。医師による手動相互作用が意図されているその設計により「器具ハンドル」とも称される器具基部７２は、概して、ロボットアーム７６の遠位端において器具ドライバ７５上の駆動インターフェースを通って延在する駆動出力部７４と嵌合するように設計された、回転可能な駆動入力部７３、例えば、レセプタクル、プーリ、又はスプールを含んでもよい。物理的に接続、ラッチ、及び／又は結合されるときに、器具基部７２の嵌合された駆動入力部７３は、器具ドライバ７５における駆動出力部７４と回転軸線を共有して、駆動出力部７４から駆動入力部７３へのトルクの伝達を可能にすることができる。いくつかの実施形態では、駆動出力部７４は、駆動入力部７３上のレセプタクルと嵌合するように設計されたスプラインを含んでもよい。
【００５６】
細長いシャフト７１は、例えば、内視鏡におけるような解剖学的開口部若しくは管腔、又は腹腔鏡検査におけるような低侵襲性切開部のいずれかを通して送達されるように設計されている。細長いシャフト７１は、可撓性（例えば、内視鏡と同様の特性を有する）若しくは剛性（例えば、腹腔鏡と同様の特性を有する）であるか、又は可撓性部分及び剛性部分の両方のカスタマイズされた組み合わせを含む、のいずれかであってよい。腹腔鏡ために設計される場合、剛性の細長いシャフトの遠位端は、少なくとも１つの自由度を有するクレビスから形成された接合された手首から延在するエンドエフェクタ、及び駆動入力部が器具ドライバ７５の駆動出力部７４から受け取ったトルクに応答して回転する際に、腱からの力に基づいて作動され得る、例えば、把持具又ははさみである、手術用ツール又は医療用器具に接続され得る。内視鏡検査のために設計されると場合、可撓性の細長いシャフトの遠位端は、器具ドライバ７５の駆動出力部７４から受信したトルクに基づいて関節運動及び屈曲され得る操縦可能又は制御可能な屈曲部を含んでもよい。
【００５７】
器具ドライバ７５からのトルクは、シャフト７１に沿う腱を使用して細長いシャフト７１の下流に伝達される。プルワイヤなどのこれらの個々の腱は、器具ハンドル７２内の個々の駆動入力部７３に個別に固定されてもよい。ハンドル７２から、腱は、細長いシャフト７１に沿って１つ又は２つのプルルーメン（pull lumen）に向けられ、細長いシャフト７１の遠位部分、又は細長いシャフトの遠位部分の手首に固定される。腹腔鏡、内視鏡又はハイブリッド処置などの外科手術中、これらの腱は、手首、把持具、又ははさみなどの遠位に装着されたエンドエフェクタに結合されてもよい。このような構成の下で、駆動入力部７３に及ぼされるトルクは、腱に張力を伝達し、それによってエンドエフェクタを何らかの方法で作動させる。いくつかの実施形態では、外科処置中に、腱は、関節を軸の周りで回転させることができ、それによってエンドエフェクタを一方向又は別の方向に移動させる。代替的に、腱は、細長いシャフト７１の遠位端で把持具の１つ又は２つ以上のジョーに接続されてもよく、腱からの張力によって把持具が閉鎖される。
【００５８】
内視鏡検査では、腱は、接着剤、制御リング、又は他の機械的固定を介して、細長いシャフト７１に沿って（例えば、遠位端に）位置決めされた屈曲部又は関節運動部に結合されてもよい。屈曲部の遠位端に固定的に取り付けられる場合、駆動入力部７３に及ぼされるトルクは、腱の下流に伝達され、より軟質の屈曲部に（関節運動可能部又は領域と称されることがある）を屈曲又は関節運動させる。非屈曲部分に沿って、個々の腱を内視鏡シャフトの壁に沿って（又は内側に）指向する個々のプルルーメンを螺旋状又は渦巻状にして、プルワイヤにおける張力からもたらされる半径方向の力の釣り合いをとることが有利であり得る。これらの間の螺旋及び／又は間隔の角度は、特定の目的のために変更又は設計されてもよく、より狭い螺旋は負荷力下でより小さいシャフト圧縮を呈する一方で、より少ない量の螺旋は負荷力下でより大きなシャフト圧縮をもたらすが、屈曲制限も呈する。スペクトルのもう一方の端部では、プルルーメンは、細長いシャフト７１の長手方向軸に平行に指向されて、所望の屈曲部又は関節運動可能部における制御された関節運動を可能にしてもよい。
【００５９】
内視鏡検査では、細長いシャフト７１は、ロボット処置を支援するいくつかの構成要素を収容する。シャフトは、シャフト７１の遠位端における手術領域への手術ツール（又は医療用器具）の展開、灌注、及び／又は吸引を行うための作業チャネルを含んでもよい。シャフト７１はまた、光学カメラを含んでもよい遠位先端部の光学アセンブリとの間で信号の授受を行うために、ワイヤ及び／又は光ファイバを収容してもよい。シャフト７１はまた、発光ダイオードなどの近位に位置する光源からシャフトの遠位端に光を搬送するための光ファイバを収容してもよい。
【００６０】
器具７０の遠位端では、遠位先端はまた、診断及び／又は治療、灌注、及び吸引のためにツールを手術部位に送達するための作業チャネルの開口を含んでもよい。遠位先端はまた、内部解剖学的空間の画像を捕捉するために、繊維スコープ又はデジタルカメラなどのカメラのためのポートを含んでもよい。関連して、遠位先端はまた、カメラを使用するときに解剖学的空間を照明するための光源用ポートを含んでもよい。
【００６１】
図１３の例では、駆動シャフト軸、したがって駆動入力軸は、細長いシャフトの軸に直交する。しかしながら、この配設は、細長いシャフト７１のロール能力を複雑にする。駆動入力部７３を静止させながら、細長いシャフト７１をその軸に沿ってロールさせることにより、駆動入力部７３から延出し、細長いシャフト７１内のプルルーメンに入る際に、腱の望ましくない絡まりをもたらす。結果として生じるそのような腱のもつれは、内視鏡処置中の可撓性の細長いシャフトの移動を予測することを意図した任意の制御アルゴリズムを妨害することがある。
【００６２】
図１４は、駆動ユニットの軸が器具の細長いシャフトの軸に平行である、器具ドライバ及び器具の代替的な設計を示す。図示のように、円形の器具ドライバ８０は、ロボットアーム８２の端部において平行に整列された駆動出力部８１を備えた４つの駆動ユニットを含む。駆動ユニット及びそれらのそれぞれの駆動出力部８１は、アセンブリ８３内の駆動ユニットのうちの１つによって駆動される器具ドライバ８０の回転アセンブリ８３内に収容される。回転駆動ユニットによって提供されるトルクに応答して、回転アセンブリ８３は、回転アセンブリ８３を器具ドライバの非回転部分８４に接続する円形ベアリングに沿って回転する。電力及び制御信号は、電気接点を通して器具ドライバ８０の非回転部分８４から回転アセンブリ８３に伝達されてもよく、ブラシ付きスリップリング接続（図示せず）による回転を通して維持されてもよい。他の実施形態では、回転アセンブリ８３は、非回転可能部分８４に一体化され、したがって他の駆動ユニットと平行ではない別個の駆動ユニットに応答してもよい。回転機構８３は、器具ドライバ８０が、器具ドライバ軸８５周りの単一ユニットとして、駆動ユニット及びそれらのそれぞれの駆動出力部８１を回転させることを可能にする。
【００６３】
先に開示した実施形態と同様に、器具８６は、細長いシャフト部分８８と、器具ドライバ８０内の駆動出力部８１を受容するように構成された複数の駆動入力部８９（レセプタクル、プーリ、及びスプールなど）を含む器具基部８７（説明目的で透明な外部スキンで示される）とを含んでもよい。先の開示した実施形態とは異なり、器具シャフト８８は、器具基部８７の中心から延在し、軸は、図１３の設計にあるように直交するのではなく、駆動入力部８９の軸に実質的に平行である。
【００６４】
器具ドライバ８０の回転アセンブリ８３に結合されると、器具基部８７及び器具シャフト８８を含む医療用器具８６は、器具ドライバ軸８５を中心にして回転アセンブリ８３と一緒に回転する。器具シャフト８８は器具基部８７の中心に位置決めされているため、器具シャフト８８は、取り付けられたときに器具ドライバ軸８５と同軸である。したがって、回転アセンブリ８３の回転により、器具シャフト８８は、それ自体の長手方向軸を中心に回転する。更に、器具基部８７が器具シャフト８８と共に回転すると、器具基部８７内の駆動入力部８９に接続された任意の腱は、回転中に絡まらない。したがって、駆動出力部８１、駆動入力部８９及び器具シャフト８８の軸の平行性は、任意の制御腱を絡めることなくシャフト回転を可能にする。
【００６５】
Ｅ．ナビゲーション及び制御
従来の内視鏡検査は、操作者である医師に腔内誘導を提供するために、蛍光透視法（例えば、Ｃアームを通して送達され得るような）、及び他の形態の放射線ベースの撮像モダリティの使用を伴うことがある。対照的に、本開示によって企図されるロボットシステムは、放射線への医師の曝露を低減し、手術室内の機器の量を低減するために、非放射線ベースのナビゲーション及び位置特定手段を提供することができる。本明細書で使用するとき、「位置特定」という用語は、基準座標系内のオブジェクトの位置を判定及び／又は監視することを指すことがある。術前マッピング、コンピュータビジョン、リアルタイムＥＭ追跡、及びロボットコマンドデータなどの技術は、放射線を含まない動作環境を達成するために個別に又は組み合わせて使用されてもよい。放射線ベースの撮像モダリティが依然として使用される場合、術前マッピング、コンピュータビジョン、リアルタイムＥＭ追跡、及びロボットコマンドデータは、放射線ベースの撮像モダリティによってのみ取得される情報を改善するために、個別に又は組み合わせて使用されてもよい。
【００６６】
図１５は、例示的な実施形態による、器具の位置など、ロボットシステムの１つ又は２つ以上の要素の位置を推定する位置特定システム９０を示すブロック図である。位置特定システム９０は、１つ又は２つ以上の命令を実行するように構成されている１つ又は２つ以上のコンピュータデバイスのセットであってもよい。コンピュータデバイスは、上述の１つ又は２つ以上の構成要素内のプロセッサ（又は複数のプロセッサ）及びコンピュータ可読メモリによって具現化されてもよい。例として、限定するものではないが、コンピュータデバイスは、図１に示されるタワー３０内にあってもよく、図１〜図４に示されるカート内にあってもよく、図５〜図１０に示されるベッド内にあってもよい。
【００６７】
図１５に図示されるように、位置特定システム９０は、入力データ９１〜９４を処理して医療用器具の遠位先端のための位置データ９６を生成する位置特定モジュール９５を含んでもよい。位置データ９６は、基準系に対する器具の遠位端の位置及び／又は向きを表すデータ又は論理であってもよい。基準系は、患者の解剖学的構造、又はＥＭ場発生器（ＥＭ場発生器についての以下の説明を参照）などの既知の物体に対する基準系とすることができる。
【００６８】
ここで、様々な入力データ９１〜９４についてより詳細に説明する。術前マッピングは、低用量ＣＴスキャンの収集を利用して達成され得る。術前ＣＴスキャンは、例えば、患者の内部解剖学的構造の切欠き図の「スライス」として可視化される３次元画像に再構成される。全体として分析される場合、患者の肺網などの患者の解剖学的構造の解剖学的空腔、空間、及び構造のための画像ベースのモデルが生成され得る。中心線形状（center-line geometry）などの手法をＣＴ画像から決定及び近似して、モデルデータ９１（術前ＣＴスキャンのみを使用して生成された場合は「術前モデルデータ」とも称される）と称される患者の解剖学的構造の３次元ボリュームを作成することができる。中心線形状の使用は、米国特許出願第１４／５２３，７６０号で考察されており、その内容はその全体が本明細書に組み込まれる。ネットワークトポロジックモデルはまた、ＣＴ画像から導出されてもよく、気管支鏡検査に特に適切である。
【００６９】
いくつかの実施形態では、器具はカメラを装備して、視覚データ９２を提供してもよい。位置特定モジュール９５は、視覚データを処理して、１つ又は２つ以上の視覚ベースの位置追跡を可能にしてもよい。例えば、術前モデルデータは、医療用器具（例えば、内視鏡又は内視鏡の作業チャネルを通って前進する器具）のコンピュータビジョンベースの追跡を可能にするために、視覚データ９２と共に使用されてもよい。例えば、術前モデルデータ９１を使用して、ロボットシステムは、内視鏡の予想される移動経路に基づいてモデルから予測される内視鏡画像のライブラリを生成することができ、各画像はモデル内の位置にリンクされる。手術中に、このライブラリは、カメラ（例えば、内視鏡の遠位端でのカメラ）でキャプチャされたリアルタイム画像を画像ライブラリ内のものと比較して、位置特定を支援するために、ロボットシステムによって参照され得る。
【００７０】
他のコンピュータビジョンベースの追跡技法は、カメラの動き、したがって内視鏡を判定するための特徴追跡を使用する。位置特定モジュール９５のいくつかの特徴は、解剖学的管腔に対応する術前モデルデータ９１内の円形幾何学形状を特定し、どの解剖学的管腔が選択されたか、並びにカメラの相対的な回転及び／又は並進運動を判定するために、それらの幾何学的形状の変化を追跡してもよい。位相マップの使用は、視覚ベースのアルゴリズム又は技法を更に向上させることがある。
【００７１】
光学フロー、別のコンピュータビジョンベースの技法は、カメラの動きを推測するために、視覚データ９２内のビデオシーケンス内の画像ピクセルの変位及び並進を分析してもよい。光学フロー技術の例としては、動作検出、物体分割計算、輝度、動作補償符号化、立体視差測定などを挙げることができる。複数の反復にわたって複数のフレームを比較することにより、カメラ（及びしたがって内視鏡）の移動及び位置を決定することができる。
【００７２】
位置特定モジュール９５は、リアルタイムＥＭ追跡を使用して、術前モデルによって表される患者の解剖学的構造に位置合わせされ得るグローバル座標系内で内視鏡のリアルタイム位置を生成し得る。ＥＭ追跡では、医療用器具（例えば、内視鏡器具）内の１つ又は２つ以上の場所及び向きに埋め込まれた１つ又は２つ以上のセンサコイルを含むＥＭセンサ（又はトラッカー）は、既知の位置に位置決めされた１つ又は２つ以上の静的ＥＭ場発生器によって生成されるＥＭ場の変動を測定する。ＥＭセンサによって検出された位置情報は、ＥＭデータ９３として記憶される。ＥＭ場発生器（又は送信機）は、埋め込まれたセンサが検出し得る低強度磁場を生成するために、患者に近接して配置され得る。磁場はＥＭセンサのセンサコイル内に小さな電流を誘導し、ＥＭセンサとＥＭ場発生器との間の距離及び角度を判定するためにこの電流が分析され得る。これらの距離及び向きは、患者の解剖学的構造の術前モデル内の位置と座標系内の単一の位置を位置合わせする幾何学的変換を判定するために、患者の解剖学的構造（例えば、術前モデル）に術中「登録」され得る。一旦登録されると、医療用器具の１つ又は２つ以上の位置（例えば、内視鏡の遠位先端）に埋め込まれたＥＭトラッカーは、患者の解剖学的構造を通じた医療用器具の進行のリアルタイム表示を提供し得る。
【００７３】
ロボットコマンド及び運動学データ９４はまた、ロボットシステムのための位置特定データ９６を提供するために、位置特定モジュール９５によって使用されてもよい。関節運動コマンドから生じるデバイスピッチ及びヨーは、術前較正中に判定され得る。術中、これらの較正測定値は、既知の挿入深度情報と組み合わせて使用されて、器具の位置を推定し得る。代替的に、これらの計算は、ネットワーク内の医療用器具の位置を推定するために、ＥＭ、視覚、及び／又は位相モデリングと組み合わせて分析され得る。
【００７４】
図１５が図示するように、いくつかの他の入力データが位置特定モジュール９５によって使用され得る。例えば、図１５には示されていないが、形状検知繊維を利用する器具は、位置特定モジュール９５が器具の位置及び形状を判定するために使用することができる形状データを提供することができる。
【００７５】
位置特定モジュール９５は、入力データ９１〜９４（複数可）を組み合わせて使用し得る。場合によっては、このような組み合わせは、位置特定モジュール９５が入力データ９１〜９４の各々から判定された位置に信頼重みを割り当てる確率的アプローチを使用し得る。したがって、ＥＭデータが信頼できるとはいえないことがある場合（ＥＭ干渉が存在する場合など）、ＥＭデータ９３によって判定された位置の信頼性を低下させることができ、位置特定モジュール９５は、視覚データ９２並びに／又はロボットコマンド及び運動学データ９４により重く依存してもよい。
【００７６】
上で考察されるように、本明細書で考察されているロボットシステムは、上記の技術のうちの１つ又は２つ以上の組み合わせを組み込むように設計され得る。タワー、ベッド、及び／又はカートに基づいて、ロボットシステムのコンピュータベースの制御システムは、例えば、永続的な磁気記憶ドライブ、ソリッドステートドライブなどの非一時的コンピュータ可読記憶媒体内に、コンピュータプログラム命令を記憶してもよく、コンピュータプログラム命令は、実行されると、システムに、センサデータ及びユーザコマンドを受信及び分析させ、システム全体の制御信号を生成させ、グローバル座標系内の器具の位置、解剖学的マップなどのナビゲーション及び位置特定データを表示させる。
【００７７】
２．ロボット対応の遠隔操作システムのためのコントローラ
上述のシステムなどのロボット対応の遠隔操作システムは、操作者（例えば、ロボット対応の医療処置を行う医師）が１つ又は２つ以上の器具を操作及び制御することを可能にするように構成された入力デバイス又はコントローラを含むことができる。いくつかの実施形態では、ロボット対応の遠隔操作システムは、１つ又は２つ以上の医療ツールを操作するためのコントローラを備える。当業者であれば、本明細書に記載されるコントローラは、非医療状況においても適用され得ることを理解するであろう。例えば、コントローラは、有害物質に関わるツールを操作するのに有用であり得る。加えて、いくつかの実施形態では、本明細書に記載されるコントローラは、物理的環境及び／又は仮想環境においてオブジェクトを把持するのに有用であり得る。いくつかの実施形態では、コントローラは、人間の操作者と相互作用するサービスロボットとして、自足であり得る。いくつかの実施形態では、コントローラの操作が器具の対応する操作を引き起こすように、コントローラは、器具（例えば、医療用器具など）と結合（例えば、通信可能に、電子的に、電気的に、無線で、及び／又は機械的に）することができる。いくつかの実施形態では、コントローラ及び器具は、マスタスレーブ対内に配設される。いくつかの実施形態では、コントローラは、マニピュレータ、エミュレータ、マスター、インターフェースなどと称されてもよい。いくつかの実施形態では、コントローラは、並列又は直列に組み立てられた複数のリンクを備えることができる。
【００７８】
コントローラは、内視鏡、腔内、腹腔鏡、又は開腹手術器具などの医療用器具の動作を制御するための、操作者のための入力デバイスとして機能することができる。操作者によるコントローラの移動は、医療用器具の移動を導き得る。例えば、操作者がコントローラを３次元空間内で並進させると（例えば、上、下、左、右、後方、前方）、システムは、医療用器具の対応する並進を引き起こすことができる。同様に、操作者がコントローラを回転させる場合（例えば、３つの直交軸のいずれかの周りで）、システムは、医療用器具の対応する回転運動を引き起こすことができる。コントローラはまた、操作者が医療用器具を作動させることを可能にする入力を含むことができる。一例として、医療用器具が把持具を含む場合、コントローラは、操作者が把持具を開閉することを可能にする入力を含むことができる。
【００７９】
コントローラはまた、知覚フィードバックを操作者に提供することができる。例えば、いくつかの実施形態では、医療用器具に付与された力又はトルクは、コントローラを介して操作者に送り返され得る。いくつかの実施形態では、コントローラを介して知覚フィードバックを操作者に提供することにより、改善された動作、制御、又は駆動体験をユーザに提供する。いくつかの実施形態では、操作者がコントローラと相互作用し、システムを動作させるのを容易にするために、クリスピック触覚キュー（crisp haptic cues）を提供することができる。
【００８０】
いくつかの実施形態では、コントローラはまた、例えば、医療用器具を切り替えるときに、操作者の手を医療用器具の向きと整列させるために使用される。例えば、医療用器具が医療処置中に患者内に位置決めされている場合、医療用器具が予期せず又は意図せずに移動しないことが重要である。したがって、操作者が身体内に既に位置決めされた医療用器具の制御を行うことを望む場合、コントローラは、器具が適所に留まっている間に、医療用器具の向きと一致するように最初に移動することができる。コントローラが医療用器具の向きと一致するように正確に方向付けられた状態で、操作者は、コントローラを使用して医療用器具を操作することができる。
【００８１】
いくつかの実施形態では、ロボット対応の医療システムは、操作者の手の動きに追従する７つの自由度を有するコントローラを含み、７つの自由度は、３つの位置自由度（例えば、ｘ、ｙ、ｚ空間での並進運動）、３つの回転自由度（ピッチ、ロール、及びヨー軸を中心とした回転運動）、及び１つ（又は２つ以上）の器具の作動自由度（例えば、角度の自由度）を含む。いくつかの実施形態では、器具の作動自由度は、物体を保持するためのグリッパー又は把持具などの、医療用器具のエンドエフェクタの開閉を制御することができる。いくつかの実施形態では、器具の作動自由度は省略されてもよい。いくつかの実施形態では、コントローラは、より多くの又はより少ない数の自由度を含んでもよい。例えば、いくつかの実施形態では、コントローラは、１つ又は２つ以上の冗長自由度を提供するために、３つを超える位置自由度又は３つを超える回転自由度を含んでもよい。いくつかの実施形態では、冗長自由度は、例えば、コントローラの機械的構造によって生じる特異点を回避するために、コントローラに更なる機械的柔軟性を提供することができる。
【００８２】
図１６Ａは、コントローラ１０２の実施形態の概略図及びロボット対応の医療用器具３１０の実施形態の概略図を含むロボット対応の医療システム１００の実施形態のブロック図を示す。上で簡単に述べたように、コントローラ１０２の操作が、ロボット対応の医療用器具３１０の実質的に対応する動きを引き起こし、ロボット対応の医療用器具３１０に付与された力が、コントローラに送り返され、操作者に知覚的に伝達され得るように、コントローラ１０２は、ロボット対応の医療用器具３１０と結合されることができる。いくつかの実施形態では、コントローラ１０２及びロボット対応の医療用器具３１０は、マスタスレーブ構成で配設される。
【００８３】
システム１００の図示された実施形態では、コントローラ１０２は、ハンドル１０４、ジンバル１０６、及び位置決めプラットフォーム１０８を含む。ハンドル１０４は、操作者によって保持されるように構成され得る。示されるように、いくつかの実施形態では、ハンドル１０４は、ジンバル１０６及び位置決めプラットフォーム１０８に結合される。上述したように、ハンドル１０４は、器具を作動させるための１つ又は２つ以上の自由度を含むことができる。ジンバル１０６は、操作者がハンドル１０４を回転させることを可能にする１つ又は２つ以上の回転自由度を提供するように構成され得る。いくつかの実施形態では、ジンバル１０６は、少なくとも３つの回転自由度を提供するように構成される。例えば、ジンバル１０６は、操作者がハンドル１０４をピッチ、ロール、及びヨー軸の周りで回転させることを可能にするように構成され得る。例示的なジンバル１０６を図１７〜図１９Ｂに示し、以下により詳細に説明する。位置決めプラットフォーム１０８は、操作者がハンドル１０４を並進させることを可能にするために、１つ又は２つ以上の並進（本明細書では位置とも称される）自由度を提供するように構成され得る。いくつかの実施形態では、位置決めプラットフォーム１０８は、少なくとも３つの位置自由度を提供するように構成される。例えば、位置決めプラットフォーム１０８は、操作者が３次元空間内で（例えば、ｘ方向、ｙ方向、及びｚ方向に）ハンドル１０４を並進させることを可能にするように構成され得る。例示的な位置決めプラットフォーム１０８は、図１６Ｃに見ることができ、以下でより詳細に説明される。共に、ジンバル１０６及び位置決めプラットフォーム１０８は、ユーザがハンドル１０４を操作することを可能にすることができる。
【００８４】
示された実施形態では、ロボット対応の医療用器具３１０は、器具又はツール３１２（エンドエフェクタを含んでもよい）、器具ドライバ３１４、及びロボットアーム３１６（又は他の器具位置決めデバイス）を含む。医療用器具３１２は、例えば、上記の図９に示される腹腔鏡器具５９、並びに本出願をとおして記載され、当業者に明らかである他のタイプの内視鏡又は腹腔鏡医療用器具であり得る。医療ツール３１２は、エンドエフェクタ又は複数のエンドエフェクタを含むことができる。エンドエフェクタは、医療ツール３１２の遠位端に位置決めされ得る。エンドエフェクタは、患者の身体に挿入するように構成され得る。いくつかの実施形態では、エンドエフェクタは、とりわけ、把持具、グリッパー、カッター、バスケット装置、又ははさみであり得る。いくつかの実施形態では、医療ツール３１２は、スコープ又はカメラを含むことができる。
【００８５】
医療ツール３１２は、器具ドライバ３１４に取り付けられ得る。器具ドライバ３１４は、上述のように医療用器具３１２を作動させるように構成され得る。例えば、器具ドライバ３１４は、医療用器具３１２の１つ又は２つ以上のプルワイヤを引っ張り、医療用器具３１２を作動させるように構成され得る。いくつかの実施形態では、器具ドライバ３１４は、上述のような器具駆動機構であり得る。器具ドライバ３１４は、例えば、図１３に図示されるように、ロボットアーム３１６に取り付けられ得る。ロボットアーム３１６は、医療用器具３１２を更に操作し、位置決めするために関節運動又は移動するように構成され得る。例示的な医療用器具／ツール、器具ドライバ、及びロボットアームが、上記の図１〜図１５のシステムに示されている。
【００８６】
ハンドル１０４の操作が、医療ツール３１２の実質的に対応する移動を引き起こし、医療ツール３１２に付与された力が、ハンドル１０４を通して操作者に知覚的に送信され得るように、コントローラ１０２は、ロボット対応の医療用器具３１０と結合され得る。ハンドル１０４の操作は、ジンバル１０６及び位置決めプラットフォーム１０８の力及び移動を測定することによって測定又は決定することができる。医療用器具３１２の移動は、器具ドライバ３１４及び／又はロボットアーム３１６の関節運動及び移動によって引き起こされ得る。したがって、ハンドル１０４を操作することによって、操作者は、医療用器具３１２を制御することができる。
【００８７】
多くの例において、操作者が医療ツール３１２を微細かつ正確に制御し、過度に疲れることなくコントローラ１０２を使用することができるように、コントローラ１０２が操作者によって容易に操作されることが望まれている。コントローラの操作の容易さを測定するための１つのメトリックは、システムの知覚される慣性及び／又は知覚される質量である。いくつかの実施形態では、システムの知覚される慣性は、ユーザがハンドル１０４を操作する際に点質量であるかのように感じるシステムの質量である。一般に、より低い知覚される慣性を有するコントローラ１０２は、操作がより容易であり得る。他の実施形態では、知覚される慣性は、ハンドル１０４を操作する際にユーザが感じる慣性モーメントを含む。
【００８８】
以下に記載されるように、本出願に記載されるコントローラは、既存のシステムに勝る利点を提供する、いくつかの新規かつ非自明の特徴を含む。いくつかの実施形態では、本明細書に記載されるコントローラは、アドミタンス及びインピーダンス制御の両方で動作するように有利に構成される。以下に記載されるように、アドミタンス制御及びインピーダンス制御の両方を含むハイブリッドコントローラは、改善された操作経験を提供することができる。いくつかの実施形態では、アドミタンス制御及びインピーダンス制御の両方を含むハイブリッドコントローラは、他のコントローラと比較して、より低い又は低減された知覚された慣性を有利に提供することができる。いくつかの実施形態では、ハイブリッドコントローラは、改善された知覚フィードバック及び応答を提供することができる。更に、以下に記載されるように、いくつかの実施形態では、本明細書に記載されるコントローラは、不規則かつ予測不可能な移動を引き起こす可能性がある機械的短絡（以下に記載される）の可能性を防止又は低減することができる。本出願に記載されるコントローラのこれら及び他の特徴及び利点は、以下の項で更に考察される。
【００８９】
Ａ．ハイブリッドコントローラ
図１６Ｂは、インピーダンス制御及びアドミタンス制御の両方を使用して動作するように構成されたコントローラ１０２の一実施形態のブロック図である。かかるコントローラ１０２は、ハイブリッドコントローラと称されることがある。
【００９０】
インピーダンス制御及びアドミタンス制御は、ロボットシステムを制御するための２つの制御スキームである。インピーダンス制御の下で、システムは、変位（例えば、位置及び速度の変化）を測定し、力を出力する。例えば、インピーダンス制御の場合、システムは、操作者がコントローラをどれだけ遠く又は速く移動させたかを測定し、その測定に基づいて、（例えば、モータを作動させることによって）器具に力を発生させることができる。インピーダンス制御の下で、コントローラの操作者の移動は、器具の一部をバックドライブ（back drive）することができる。多くの場合、インピーダンス制御の使用は、大きな知覚される慣性をもたらすことができる。これは、例えば、インピーダンス制御が、コントローラを動かす操作者に依存するためであり得る。インピーダンス制御の下では、操作者は、コントローラを動かすためにその知覚される質量又は慣性を克服して、コントローラに重く感じさせる必要がある場合がある。インピーダンス制御では、操作者は、コントローラを移動させるために、システム内の慣性の大部分又は全てを物理的に克服しなければならない。他のコントローラは、単にインピーダンス制御にのみ依存し、そのためシステムは、本明細書に記載されるコントローラと比較してより高い知覚された慣性又は質量を有し得る。より高い知覚された慣性のために、操作者は、そのような他のコントローラを使用するときに、疲れ果てる場合がある。
【００９１】
アドミタンス制御下では、システムは、操作者によってコントローラに付与された力及び／又はトルクを測定し、コントローラの対応する速度及び／又は位置を出力する。いくつかの点では、アドミタンス制御は、インピーダンス制御の逆である。いくつかの実施形態では、アドミタンス制御の使用は、システムの知覚された慣性又は質量の減少を有利にもたらすことができる。アドミタンス制御を使用して、高い質量又は慣性を有すると知覚されるコントローラのダイナミクスを変更することができる。場合によっては、アドミタンス制御を使用することによって、操作者は、コントローラを移動させるためにシステム内の慣性の全てを克服する必要はない。例えば、アドミタンス制御下で、ユーザがコントローラに力を付与すると、システムは、力を測定し、コントローラに関連する１つ又は２つ以上のモータを駆動することによって、ユーザがコントローラを移動させることを支援し、それによってコントローラの所望の速度及び／又は位置をもたらすことができる。換言すれば、アドミッタンス制御では、力センサ又はロードセルは、操作者がコントローラに加える力を測定し、コントローラ並びに結合されたロボット対応の医療用器具３１０を、光を感じるように移動させる。アドミッタンス制御下では、コントローラ内のモータが質量を加速させる助けとなり得るため、コントローラの知覚された慣性を隠すことができるため、アドミッタンス制御は、インピーダンス制御よりも軽く感じることができる。対照的に、インピーダンス制御を用いると、ユーザは、全て又は実質的に全ての質量加速度に関与する。
【００９２】
図１６Ｂの図示された実施形態に示されるように、コントローラ１０２は、ハンドル１０４、ジンバル１０６、及び位置決めプラットフォーム１０８を含む。上述したように、ジンバル１０６は、１つ又は２つ以上の回転自由度（例えば、３つ又は４つ）を提供するように構成することができ、位置決めプラットフォーム１０８は、１つ又は２つ以上の回転自由度（例えば、３つ又は４つ）を提供するように構成され得る。ジンバル１０６及び位置決めプラットフォーム１０８は、ユーザがハンドル１０４を３次元空間内で移動させ、ハンドル１０４をピッチ軸、ロール軸、及びヨー軸の周りで回転させることができるようにする。ハンドル１０４の操作は、対応する医療用器具の移動をもたらす。更に、ハンドル１０４、ジンバル１０６、及び位置決めプラットフォーム１０８は、医療用器具に付与された力を表す知覚フィードバックを操作者に提供するように構成され得る。
【００９３】
図１６Ｂの破線のボックスによって示されるように、コントローラ１０２において、ジンバル１０６は、インピーダンス制御するように構成され、位置決めプラットフォーム１０８は、アドミタンス制御するように構成されている。したがって、いくつかの実施形態では、位置決めプラットフォーム１０８の並進又は位置自由度はアドミタンス制御に依存し、ジンバル１０６の回転自由度はインピーダンス制御に依存する。以下に更に記載されるように、このタイプのハイブリッドコントローラ１０２は、いくつかの利点を有することができる。他の実施形態（図示せず）では、ジンバル１０６は、アドミタンス制御するように構成され、位置決めプラットフォーム１０８は、インピーダンス制御するように構成される。いくつかの実施形態では、ジンバル１０６及び位置決めプラットフォームは、両方ともがアドミタンス制御するように構成されてもよく、又は両方ともがインピーダンス制御するように構成されてもよい。
【００９４】
アドミタンス制御を利用するために、コントローラ１０２は、少なくとも１つの力センサ又はロードセル１１２を含む。ロードセル１１２は、操作者によってコントローラ１０２に付与された力（一般に、ハンドル１０４に付与された力）を測定するように構成される。ロードセル１１２の出力信号（力の尺度）は、位置決めプラットフォーム１０８などのコントローラ１０２の移動を制御する制御信号を提供するために使用される。ロボット対応の医療用器具３１０は、ハンドル１０４の運動に追随する（例えば、器具ドライバ３１４又はロボットアーム３１６内の１つ又は２つのモータを作動させることによって）。いくつかの実施形態では、ロードセル１１２は、３つの方向の力を測定する３つの自由度ロードセルであり得る。
【００９５】
示された実施形態では、ロードセル１１２は、ジンバル１０６内に位置決めされている。以下に説明する図１８及び図１９Ａは、ロードセル１１２がジンバル１０６内に位置決めされ得る２つの異なる実施形態を示す。ロードセル１１２の他の位置も可能である。いくつかの実施形態では、ロードセル１１２は位置決めプラットフォーム１０８内に位置決めされる。いくつかの実施形態では、２つ以上のロードセル１１２（例えば、２つ、３つ、４つ、又はそれ以上のロードセル）が含まれ、ハンドル１０４、ジンバル１０６、及び／又は位置決めプラットフォーム１０８内に位置決めされることができる。
【００９６】
いくつかの実施形態では、ロードセル１１２は、有利には、コントローラ１０２内で遠位に（ハンドル１０４により近く）位置決めされる。これは、いくつかの実施形態では、アドミタンス制御を使用して、ロードセル１１２の近位に位置するコントローラ１０２の部分（例えば、ハンドル１０４から見てロードセル１１２の反対側に位置するコントローラ１０２の部分）の知覚された質量を隠すことができるためである。
【００９７】
図１６Ｃは、コントローラ１０２の実施形態の斜視図である。示された実施形態では、コントローラ１０２は、１つ又は２つ以上の医療用器具の操作を可能にするように構成されている。示されるように、コントローラ１０２は、一対のハンドル１０４を含むことができる。いくつかの実施形態では、一対のハンドル１０４は、単一の器具を動作させ、一方他の実施形態では、一対のハンドル１０４の各々は、各々それ自体の対応する器具を動作させる。各ハンドル１０４は、ジンバル１０６に接続されている。各ジンバルは、位置決めプラットフォーム１０８に接続されている。いくつかの実施形態では、ハンドル１０４は、位置決めプラットフォーム１０８に対して遠位にあると見なされるジンバル１０６から遠位にあると見なされる。ハンドル１０４及びジンバル１０６は、図１７により詳細に示され、以下に説明される。
【００９８】
図１６Ｃに図示されるように、図示の実施形態では、各位置決めプラットフォーム１０８は、直動関節１１６によってカラム１１４に結合された複数のリンクを有するＳＣＡＲＡ（選択的コンプライアンスアセンブリロボットアーム、selective compliance assembly robot arm）アーム１１８を含む。直動関節１１６は、カラム１１４に沿って（例えば、レール１１７に沿って）並進して、ハンドル１０４をｚ方向に並進させ、第１の自由度を提供するように構成されている。ＳＣＡＲＡアーム１１８は、ｘ−ｙ平面におけるハンドル１０４の運動を可能にし、２つの追加の自由度を提供するように構成されている。したがって、図１６Ｃに示される位置決めプラットフォーム１０８の各々は、３つの位置又は並進自由度を提供し、操作者が３次元（例えば、ｘ、ｙ、ｚ）空間内の任意の位置（位置決めプラットフォームが届く範囲内）にハンドル１０４を位置決めすることを可能にするように構成されている。
【００９９】
いくつかの実施形態では、カラム１１４（及びレール１１７）は、ワークスペースの垂直方向（例えば、示されるようなｚ方向）と整列する軸に沿って延在し、この軸は、重力の方向と整列させることができる。この位置決めプラットフォーム１０８の利点は、重力補償を提供することができることである。換言すれば、位置決めプラットフォーム１０８の直動関節１１６は、重力に対するジンバル１０６の一定の向きを維持することができる。
【０１００】
いくつかの実施形態では、位置決めプラットフォーム１０８は、他の構成を有することができる。例えば、位置決めプラットフォーム１０８は、全ての実施形態において直動関節及び／又はＳＣＡＲＡアームを含む必要はない。
【０１０１】
いくつかの実施形態では、ロードセル１１２（図１６Ｃには示されていない）は、コントローラ１０２の一部内（例えば、ジンバル１０６内など）に提供され得る。ロードセル１１２の付加は、コントローラがインピーダンス制御に加えてアドミタンス制御を有することを可能にする。アドミタンス制御下では、コントローラ１０２の知覚された慣性を低減することができる。これは、ジンバル１０６及び／又は位置決めプラットフォームの質量がロードセル１１２を介して隠され得るためである。これは、ロードセル１１２がコントローラに付与された力を測定し、コントローラ１０２内のモータを駆動してコントローラ１０２の動作を支援する出力を提供するために使用され得るためであり得る。隠された質量の量は、ロードセル１１２の位置に依存する。いくつかの実施形態では、ロードセル１１２の近位の質量は、部分的に又は実質的に隠され得るが、ロードセル１１２に対して遠位の質量は隠されない。
【０１０２】
いくつかの実施形態では、ロードセル１１２をコントローラ１０２上に遠位に（例えば、図１６Ｃに示すジンバル１０６内に）位置決めすることによって、コントローラ１０２を動作させながらジンバル１０６の質量を部分的に又は実質的に隠すことができる。同様に、位置決めプラットフォーム１０８（ジンバル１０６よりも比較的高い質量を有する）の質量はまた、コントローラ１０２を動作させている間、部分的又は実質的に隠され得る。隠された質量は、有利には、臨床医によって知覚される慣性をより低くする。ロードセル１１２がなければ、ハンドル１０４をｚ方向に移動させるために、操作者は、ハンドル１０４に十分な力を供給して、ハンドル１０４、ジンバル１０６、及びＳＣＡＲＡアーム１１８を上方に持ち上げる必要がある。更に、ｚ方向に移動するよりも、ｘ−ｙ平面内でハンドルを移動するために、より少ない力を必要とすることが想定され得る。この視差は、コントローラ１０２を使用することを困難にする不均一な操作経験を操作者にもたらす可能性が高い。したがって、本明細書に記載されるようなロードセル１１２を含むことにより、コントローラ１０２は、ユーザがハンドル１０４をｘ方向、ｙ方向、及びｚ方向に並進させるのを支援することができ、はるかに均一で制御された操作経験を提供することができる。いくつかの実施形態では、ロードセル１１２は、位置決めプラットフォーム１０８が、アドミタンス制御下で実質的に又は完全に動作することを可能にする。位置決めプラットフォーム１０８とは対照的に、ジンバル１０６の慣性モーメントは比較的低くなり得る。これは、概して、ジンバル１０６が位置決めプラットフォーム１０８よりもはるかに小さいためであり得る。このため、ジンバル１０６の少なくとも一部は、インピーダンス制御に好適であり得る。
【０１０３】
本明細書に記載されるようなハイブリッドインピーダンス／アドミタンスコントローラ１０２の１つの利点は、システムの知覚された慣性が、インピーダンス制御に完全に依存するシステムよりも比較的低い場合があることである。更に、ハイブリッドコントローラ１０２の機械的構造は、アドミタンス制御を使用してシステムの移動を補い、平均化するために使用することができるため、より単純であり得る。対照的に、インピーダンスのみのシステムの機械的構造は、多くの場合、システムを異なる方向に移動させるのに必要な力を正規化し、知覚された慣性を最小化しようとするため、非常に複雑である。
【０１０４】
いくつかの実施形態では、本明細書に記載されるようなハイブリッドコントローラ１０２を使用することによって、コントローラ１０２の総質量及び慣性の大部分が位置決めプラットフォームのアドミタンス制御によって隠され得るため、ジンバル１０６の質量及び慣性を、インピーダンスのみのコントローラのジンバルに対して、実際に増加させることが可能である。ジンバルのサイズを増大させることは、いくつかの実施形態では、より大きなモータの使用を可能にすることができ、それにより、コントローラは、全体の質量と慣性の増加を避けるために軽量のジンバルとモータを使用する必要がある他のシステムと比較したときに、より強い知覚フィードバック力を提供することが可能となり得る。
【０１０５】
図１６Ｃに図示されるように、ハイブリッドコントローラ１０２は、例えば、シリアルリンクマニピュレータとして、連続して複数のリンク及び関節として見ることができる。ハンドル１０４、ジンバル１０６、及び位置決めプラットフォーム１０８は各々、動作可能に結合された１つ又は２つ以上のリンクを備え、最も近位のリンクは、位置決めプラットフォーム１０８のカラム１１４に隣接し、最も遠位側リンクは、ハンドル１０４自体の一部である。いくつかの実施形態では、コントローラ１０２の少なくとも一部のアドミタンス制御を提供するために、コントローラ１０２に１つ又は２つ以上のロードセル１１２（図１６Ｃには示さず）を挿入することができる。コントローラ１０２の他の部分は、臨床医又は操作者によるインピーダンス制御（又は場合によっては、受動制御）によって制御することができる。いくつかの実施形態では、ロードセル１１２の近位にあるリンク及び関節は、ロードセル１１２によって直接的又は間接的に影響を受け得る。したがって、これらの近位リンク及び関節の操作は、アドミタンス制御を支援することができる。いくつかの実施形態では、ロードセル１１２の遠位にあるリンク及び関節は、ロードセル１１２の直接的又は間接的な影響を受けない場合がある。したがって、これらの遠位リンク及び関節の操作は、インピーダンス制御の支援を受けることができる。例えば、（以下でより詳細に考察される）図１９Ａの実施形態では、遠位関節１２８、１３０、１３２（図１７に示される）がロードセル１１２の直接的又は間接的な影響を受け得ないように、ロードセル１１２はジンバル１０６内に位置決めされる。換言すれば、これらの関節におけるジンバル１０６の軸の操作は、ロードセル１１２の出力に直接又は間接的に基づくものではない。これらの遠位リンク及び関節は、インピーダンス制御によって移動され得る。対照的に、ロードセル１１２の近位のリンク及び関節（位置決めプラットフォーム１０８内のものなど）は、ロードセル１１２の影響を直接的又は間接的に受け得る。換言すれば、これらの関節における軸の操作は、ロードセル１１２の出力に直接的又は間接的に基づく。これらの近位リンク及び関節は、アドミタンス制御によって動かされ得る。
【０１０６】
Ｂ．ロードセルの位置決めの例
上述したように、いくつかの実施形態では、ロードセル１１２（又は力センサ）は、ジンバル１０６内に位置決めされる。いくつかの実施形態では、ジンバル１０６は、インピーダンス制御を有するコントローラ１０２の回転自由度を提供し、一方、位置決めプラットフォーム１０８は、（例えば、ジンバル１０６内に位置決めされたロードセル１１２の出力に基づいて）アドミタンス制御を有するコントローラ１０２の位置自由度を提供することができる。ロードセル１１２をジンバル１０６内に位置決めすることができる多くの方法が存在する。コントローラ１０２の知覚された慣性が低減される程度は、ジンバル１０６内のロードセル１１２の位置に部分的に基づくことができる。ジンバル１０６の２つの異なる部分に位置決めされたロードセル１１２を示す２つの例示的な実施形態が、このセクションで説明される。他の実施例もまた可能である。
【０１０７】
図１７は、ジンバル１０６の一実施形態の等角図である。示されるように、いくつかの実施形態では、ジンバル１０６は、位置決めプラットフォーム１０８の遠位端に位置決めされる（位置決めプラットフォーム１０８の最後のリンクのみが図１７に示されている）。本出願で使用するとき、コントローラ１０２との関連において、遠位という用語は、ハンドル１０４に向かう方向を指し（例えば、ハンドル１０４はコントローラ１０２最遠位構成要素である）、近位という用語は、反対方向（例えば、カラム１１４に向かう方向、図１６Ｃを参照のこと）を指す。したがって、ジンバル１０６の近位端は、位置決めプラットフォーム１０８の遠位端に取り付けられ得る。更に、ハンドル１０４は、ジンバル１０６の遠位端に位置決めされ得る。
【０１０８】
いくつかの実施形態では、ハンドル１０４は、操作者によって保持されるように構成される。ハンドル１０４は、コントローラ１０２が制御に使用される医療用器具をシミュレート又は模倣するように構成され得る。いくつかの実施形態では、ハンドルは、把持具ハンドル（例えば、半径方向に対称な把持具ハンドル）、スタイラス、パドル型ハンドルなどを含む。示された実施形態では、ハンドル１０４は、上で考察した器具作動自由度を提供するように構成された２つの作動アーム１２０を含む。ハンドル１０４を保持している間、操作者は、作動アーム１２０間の角度を調節して、制御された医療用器具と関連付けられた対応する角度を制御することができる。例えば、医療用器具が把持具、剪断具などである場合、作動アーム１２０間の角度を使用して把持具の２つのジョー間の角度を制御することができる。
【０１０９】
示された実施形態では、ジンバル１０６は、関節によって接続された３つのアーム又はリンクを備える。遠位から近位に配設され、図１７に示されるように、ジンバル１０６は、第１のリンク１２２、第２のリンク１２４、及び第３のリンク１２６を備える。遠位から近位に配設され、図１７に示されるように、ジンバル１０６は、第１の関節１２８、第２の関節１３０、第３の関節１３２、及び第４の関節１３４を備える。関節は、様々なリンクが回転することを可能にし、ジンバル１０６に上述した回転自由度を提供する。
【０１１０】
ハンドル１０４は、第１の関節１２８によって第１のリンク１２２の遠位端に接続される。第１の関節１２８は、ハンドル１０４が第１のリンク１２２に対して回転することを可能にするように構成され得る。示された実施形態では、第１の関節１２８は、ハンドル１０４がロール軸１３６の周りを回転することを可能にする。いくつかの実施形態では、ロール軸１３６は、ハンドル１０４の長手方向軸と整列される。第１の関節１２８は、外旋関節であり得る。
【０１１１】
第１のリンク１２２の近位端は、第２の関節１３０によって第２のリンク１２４の遠位端に接続される。第２の関節１３０は、ハンドル１０４及び第１のリンク１２２が第２のリンク１２４に対して回転することを可能にするように構成され得る。示された実施形態では、第２の関節１３０は、ハンドル１０４及び第１のリンク１２２がヨー軸１３８の周りを回転することを可能にする。いくつかの実施形態では、ヨー軸１３８は、第２の関節１３０を通って延在し、ハンドル１０４の中心点でロール軸１３６と交差する。第２の関節１３０は、外旋関節であり得る。図示されるように、いくつかの実施形態では、第１のリンク１２２は、Ｌ字形状を含む。いくつかの実施形態では、第１のリンク１２２は、第２のリンク１２４を受け入れるためにその中に形成された凹部を有し、第２のリンク１２４が第１のリンク１２２に対して回転することを可能にするように構成される。
【０１１２】
第２のリンク１２４の近位端は、第３の関節１３２によって第３のリンク１２６の遠位端に接続される。第３の関節１３２は、ハンドル１０４、第１のリンク１２２、及び第２のリンク１２４が第３のリンク１２６に対して回転することを可能にするように構成され得る。示された実施形態では、第３の関節１３２は、ハンドル１０４、第１のリンク１２２、及び第２のリンク１２４がピッチ軸１４０の周りで回転することを可能にする。いくつかの実施形態では、ピッチ軸１４０は、第３の関節１３２を通って延在し、ハンドル１０４の中心点でロール軸１３６及びヨー軸１３８と交差する。第３の関節１３２は、外旋関節であり得る。図示されるように、いくつかの実施形態では、第２のリンク１２４は、Ｌ字形状を含む。いくつかの実施形態では、Ｌ字形状の第２のリンク１２４は、Ｌ字形状の第１のリンク１２２の凹部内に受け入れられる（図１７に図示されるように）。他の実施形態では、Ｌ字形状の第１のリンク１２２は、Ｌ字形状の第２のリンク１２４の凹部内に受け入れられ得る。
【０１１３】
示された実施形態では、第１の関節１２８、第１のリンク１２２、第２の関節１３０、第２のリンク１２４、及び第３の関節１３２は、３つの回転自由度を提供し、ハンドル１０４の回転をピッチ、ロール、及びヨーで調整できるようにする。示された実施形態では、ジンバル１０６は、冗長な回転自由度を提供する第３のリンク１２６及び第４の関節１３４を更に含む。これは全ての実施形態に含まれる必要はないが、より大きな機械的柔軟性をジンバル１０６に提供することができる。
【０１１４】
図示されるように、第３のリンク１２６の遠位端は、第３の関節１３２によって第２のリンク１２４の近位端に接続される。第３のリンク１２６の近位端は、第４の関節１３４によって位置決めプラットフォーム１０８の遠位端に接続される。第４の関節１３４は、ハンドル１０４、第１のリンク１２２、第２のリンク１２４、及び第３のリンク１２６が位置決めプラットフォーム１０８に対して回転することを可能にするように構成することができる。示された実施形態では、第４の関節１３４は、ハンドル１０４、第１のリンク１２２、第２のリンク１２４、及び第３のリンク１２６が軸１４２の周りで回転することを可能にする。いくつかの実施形態では、軸１４２は、ヨー軸１３８に平行である。一部の実施形態では、ヨー軸１３８及び軸１４２は同軸であるが、示されるように、これは全ての実施形態でそうである必要はない。軸１４２（及びヨー軸１３８）は、重力の方向に平行であり、上記のように重力の方向に対するジンバルの向きを維持することができる。第４の関節１３４は、外旋関節であり得る。図示されるように、いくつかの実施形態では、第３のリンク１２６は、Ｌ字形状を含む。
【０１１５】
図１８及び図１９Ａは、ジンバル１０６の内部構造のいくつかを示すために、ジンバル１０６のリンクの断面図で示されるジンバル１０６の２つの実施形態を示す。以下により詳細に記載されるように、これら２つの実施形態は、ロードセル１１２がジンバル１０６内に位置決めされ得る場所についての実施例を提供する。２つの実施例が示されているが、ロードセル１１２の他の配置が可能である。いくつかの実施形態では、ロードセル１１２という用語は、単一のロードセル又は複数のサブロードセルを包含し得る。
【０１１６】
図１８は、ジンバル１０６の第１の実施形態の断面図を示している。図示されるように、第１の実施形態では、ロードセル１１２は第１のリンク１２２内に位置決めされる。別の言い方をすれば、ロードセル１１２は、第１の関節１２８と第２の関節１３０との間に位置決めされる。ジンバル１０６の第１の実施形態では、ロードセル１１２は、コントローラ１０２の遠位端の近くに位置決めされる。具体的には、この実施形態では、ロードセル１１２は、ハンドル１０４の前のジンバル１０６の最後のリンクであるジンバル１０６の最遠位リンク内に位置決めされる。この実施形態では、ロードセル１１２の遠位位置決めにより、ロードセル１１２の遠位には非常に小さい質量が存在する。したがって、ジンバル１０６のこの実施形態を含むコントローラ１０２の知覚される慣性は、大幅に低減され得る。
【０１１７】
図１８の示された実施形態では、関節に関連するモータが見える。例えば、図示されるように、第１のモータ１４４は、第１の関節１２８内に位置決めされ、第２のモータ１４６は、第２の関節１３０内に位置決めされ、第３のモータ１４８は、第３の関節１３２内に位置決めされ、第４のモータ１５０は、第４の関節１３４内に位置決めされる。いくつかの実施形態では、モータは、ジンバル１０６を介して知覚フィードバックを提供するために使用され得る。いくつかの実施形態では、モータと同じ位置に配置されたエンコーダは、ジンバル１０６のインピーダンス制御のために関節の移動の測定値（例えば、変位及び位置）を提供するように構成することができる。
【０１１８】
図１８に図示されるように、第２、第３、及び第４のモータ１４６、１４８、１５０は全て、ロードセル１１２に対して近位に位置決めされる。したがって、いくつかの実施形態では、知覚される慣性を低減することができるように、これらのモータの質量を隠すことができる。いくつかの実施形態では、これにより、より大きなモータを使用することを可能にすることができ、より大きなモータはジンバル１０６を介してより強い知覚フィードバックを提供することができる。
【０１１９】
図１９Ａは、ジンバル１０６の第２の実施形態の断面図を示す。図示されるように、第２の実施形態では、ロードセル１１２は、第３のリンク１２６内に位置決めされる。別の言い方をすれば、ロードセル１１２は、第３の関節１３２と第４の関節１３４との間に位置決めされる。ジンバル１０６（図１８）の第１の実施形態と比較して、第２の実施形態では、ロードセル１１２はより近位に位置決めされる。したがって、第２の実施形態では、ロードセル１１２の遠位により多くの質量（例えば、ハンドル１０４、第１のリンク１２２、及び第２のリンク１２４の質量）があり、これは、システム全体のより高い知覚された慣性に寄与することができ、したがって、ジンバル１０６の第２の実施形態を含むコントローラ１０２は、ジンバル１０６の第１の実施形態を含むコントローラ１０２（図１８）よりも重い（より高い知覚された慣性）と知覚されることができる。しかしながら、ジンバル１０６の第２の実施形態は、上記のようにハイブリッドコントローラ１０２に含めることができるので、インピーダンス制御に完全に依存する他のコントローラと比較した場合、知覚された慣性の全体的な低減は依然として達成される。更に、いくつかの点では、ジンバル１０６の第２の実施形態は、いくつかの固有の利点を提供することができる。例えば、ジンバル１０６の第２の実施形態は、ロードセル１１２を第３のリンク１２６内に位置決めすることによってジンバル１０６の回転慣性を低減する。ハイブリッドコントローラでは、ジンバル１０６がインピーダンス制御され得るため、操作者は、ジンバル１０６の全ての回転慣性を感じることになる。したがって、慣性を低く保つことは、ユーザ経験にとって有益であり得る。加えて、図１８の第１の実施形態と比較した場合、ジンバル１０６の第２の実施形態は、次のセクションで考察されるように、低減された機械的短絡のリスクを提供することができる。
【０１２０】
図１９Ａの示された実施形態では、関節に関連するモータが見える。例えば、図示されるように、第１のモータ１４４は、第１の関節１２８内に位置決めされ、第３のモータ１４６は、第３の関節１３２内に位置決めされ、第４のモータ１５０は、第４の関節１３４内に位置決めされる。ジンバル１０６はまた、第２の関節１３０の回転に関連する第２のモータ１４８を含む。しかしながら、図１９Ａに図示されるように、第２のモータ１４８は第２の関節１３０に位置決めされていない。むしろ、第２のモータ１４８は、第３の関節１３２内に位置決めされ、第２の関節１３０に機械的に接続されることができる。これは、図１９Ｂに最良に示される。
【０１２１】
図１９Ｂは、ジンバル１０６の第２の実施形態の追加の図を提供する。この図では、リンクのカバーは、ジンバル１０６の内部構成要素の一部を明らかにするために、透明として示されている。図示されるように、第２のモータ１４８は、第３の関節１３２内に位置決めされ、新規ケーブル駆動システム１５２によって第２の関節１３０に接続される。ケーブル駆動システム１５２は、有利には、第２の関節１３０と第２のモータ１４８との間の伝動部として機能する。ケーブル駆動システムは、ジンバル１０６の第２のリンク１２４内の１つ又は２つ以上のケーブルプーリーを通して経路指定される１つ又は２つ以上のケーブルを含むことができる。
【０１２２】
この実施形態では、ジンバル１０６は、遠隔に位置する第２のモータ１４８によって制御された第２の関節１３０を有するという追加の利点を有する。遠隔に位置する第２のモータ１４８の利点は、モータ１４８が、第２の関節１３０自体の近くではなく、ジンバル１０６の近位部分の近くに定置され得ることである。第２のモータ１４６を第３のリンク１２６内に（第２のリンク１２４とは反対に）位置決めすることにより、ジンバルの回転慣性が低減される。上記のように、回転慣性を低減することは、ジンバル１０６がインピーダンス制御され、ユーザがコントローラを操作するためにジンバル１０６の慣性を克服することを必要とするので、有益であり得る。
【０１２３】
前述のように、モータを使用して、ジンバル１０６を介して知覚フィードバックを提供することができる。更に、いくつかの実施形態では、モータは、ジンバル１０６のインピーダンス制御のために関節の移動の測定値（例えば、変位及び位置）を提供するように構成することができる。
【０１２４】
ロードセル１１２を含むジンバル１０６の２つの実施形態について、図１７〜図１９Ｂを参照して説明してきたが、他の実施形態もまた可能である。他の実施形態では、ジンバル１０６は、２つ又は３つ以上のロードセル１１２を含み得る。
【０１２５】
Ｃ．機械的短絡の低減
インピーダンス制御とアドミタンス制御の両方を含むハイブリッドコントローラ１０２の使用は、上で考察されるようにいくつかの注目すべき利点（コントローラの知覚された慣性を低減し、改善された操作経験を提供することを含む）を提供するが、いくつかの実施形態では、アドミタンス制御の使用は、力を測定するためのロードセル１１２の使用を含む。ロードセル１１２を含む実施形態を実装する場合、機械的短絡のリスクを考慮すべきである。機械的短絡は、操作者の手、手首、腕、又は任意の組み合わせが、ロードセル１１２の近位にあるコントローラの部分とロードセル１１２の遠位にあるコントローラの部分との間に剛性又は物理的なブリッジを作るときに発生する可能性がある。機械的短絡の影響は、操作者が制御するのが困難である意図しない運動であり得る。
【０１２６】
図２０Ａは、機械的短絡の一例を示す画像である。示された例では、操作者は、ロードセル１１２の遠位に位置するハンドル１０４を保持している。操作者は、ロードセル１１２によって測定され、位置決めプラットフォーム（図示せず）内のアドミタンス制御に使用される力をハンドル１０４に付与する（ハンドル１０４を移動させることによって）。しかしながら、示されるように、操作者はまた、ロードセル１１２に対して近位に位置するジンバルの部分１５３に接触し、機械的短絡を引き起こす。部分１５３に付与される力はまた、ロードセル１１２によって測定され、意図せずかつ制御不能な運動を引き起こす。
【０１２７】
いくつかの実施形態では、システムは、操作者がハンドル１０４に全ての力を付与していると想定するため、このことが、例えば、ロードセル１１２の近位の接触に起因しており、実際には真実ではない場合には、機械的短絡は望ましくない運動を生成する。操作者は、ロードセル１１２の遠位に位置するコントローラ又はジンバルの任意の部分に安全に接触することができる。ロードセル１１２の近位のコントローラとの接触は、望ましくない機械的短絡を引き起こす可能性がある。
【０１２８】
機械的短絡のリスクを低減し、機械的短絡を引き起こさずに操作者が安全に接触できるコントローラの部分を増加させるために、いくつかの実施形態では、シェル又はカバーをロードセル１１２の上に設けることができる。例えば、ロードセル１１２を含むリンクの場合、カバーは、ロードセル１１２の遠位でのみリンクに取り付けることができるが、ロードセル１１２の近位に位置するリンクの部分にわたって（接触することなく）延在することができる。カバーは、ロードセル１１２の遠位にのみ接続されているため、カバーとの接触が機械的短絡を引き起こす可能性は低い。いくつかの実施形態では、カバーは、下にある構成要素の上に成形することができる。他の実施形態では、カバーは、下にある構成要素の上に形成されたスリップであり得る。
【０１２９】
図２０Ｂは、ジンバル１０６の第２の実施形態の実施形態を示し（例えば、図１９Ａ及び図１９Ｂに図示されるように）、ロードセル１１２を含む第３のリンク１２６のカバー１５４の切欠版を示している。図示されるように、ロードセル１１２は、第３のリンク１２６内に位置決めされる。したがって、第３のリンク１２６の一部は、ロードセル１１２の遠位に位置決めされ、第３のリンク１２６の一部１２６Ｐは、ロードセル１１２の近位に位置決めされる。第３のリンク１２６の近位部分１２６Ｐとの接触は、機械的短絡を引き起こすことになる。機械的短絡の可能性を低減するために、カバー１５４は、近位部分１２６Ｐの上に延在し、そこを覆う。同様のカバーを、ジンバル１０６の第１の実施形態の第１のリンク１２２上に実装することができる（図１８）。
【０１３０】
図２０Ｃ及び図２０Ｄは、機械的短絡を引き起こすことなく接触させることができる、ジンバル１０６の第１の実施形態及び第２の実施形態の部分を示す（図１８及び図１９Ａにそれぞれ示されている）。これらの図では、より暗い陰影部分を、機械的短絡を引き起こすことなく接触させることができる。図２０Ｃに図示されるように、ジンバル１０６の第１の実施形態では、ハンドル１０４と第１のリンク１２２とを、機械的短絡を引き起こすことなく接触させることができる。これは、ロードセル１１２を含む第１のリンク１２２の上に、カバーが延在することができるためであり得る。図２０Ｄに図示されるように、ジンバル１０６の第２の実施形態では、ハンドル１０４、第１のリンク１２２、第２のリンク１２４、及び第３のリンク１２６は、機械的短絡を引き起こすことなく接触することができる。これは、ロードセル１１２を含む第３のリンク１２３の上に、カバーが延在することができるためであり得る。図２０Ｃと図２０Ｄを比較すると、第２の実施形態（図２０Ｄ）は、第１の実施形態（図２０Ｃ）よりも大きな機械的短絡に対する保護領域を提供することができる。これは、２つの設計間のトレードオフを反映することができる。第１の実施形態（図２０Ｄ）は、（ロードセル１１２がジンバルの遠位リンクの近くに位置決めされているため）より軽いと知覚することができるが、短絡の対象となる可能性のあるより多くの領域を有する場合もある。対照的に、第２の実施形態（図２０Ｄ）は、（ロードセル１１２がジンバルの近位リンクに近接して位置決めされているため）より重いと知覚することができるが、短絡からより保護される領域を有することができる。それにかかわらず、これらの設計の両方は、インピーダンス制御のみに依存するものよりも軽く知覚されるコントローラを提供し、機械的短絡のリスクから保護する新規なカバーを有する。当業者は、両方の実施形態が特定の利点を提供し、様々な状況での使用に好適であり得ることを理解するであろう。
【０１３１】
Ｄ．例示的なコントローラ方法
図２１は、コントローラ（例えば、マスター）が医療用器具（例えば、スレーブ）を制御する例示的な方法２１０を示すフローチャートである。方法２１０は、インピーダンス制御及びアドミタンス制御の両方を使用してハイブリッド制御のために構成することができる。連続的に示されているが、方法２１０のブロックは、他の順序で実施することができ、又はブロックのうちの１つ又は２つ以上を実質的に同時に発生させることができる。方法２１０は、ブロック２１２において開始し、ユーザは、インピーダンス制御を介してコントローラの回転を駆動することができる。ブロック２１４において、ユーザはまた、アドミッタンス制御を介してコントローラの並進を駆動することができ、いくつかの実施形態では、アドミッタンス制御は、コントローラのジンバル内に位置決めされた１つ又は２つ以上のロードセルを介して有効にすることができる。
【０１３２】
ブロック２１６において、コントローラからの出力信号がプロセッサを介して送達される。出力信号は、コントローラのインピーダンス制御及び／又はアドミタンス制御に基づくことができる。ブロック２１８において、ロボット医療用器具の運動は、出力信号に基づいて駆動される。
【０１３３】
図２２は、例としてコントローラ方法２２０を示しているフローチャートである。方法２２０は、インピーダンス制御及びアドミタンス制御の両方を使用するハイブリッド制御のために構成することができる。連続的に示されているが、方法２２０のブロックは、逆の順に実施されてもよく、又は実質的に同時に発生してもよい。方法２２０は、コントローラのハンドルがインピーダンス制御を介して操作されてロボット医療用器具の対応する操作を引き起こす、ブロック２２２で開始する。いくつかの実施形態では、ハンドルは、１つ又は２つ以上の回転自由度で操作される。いくつかの実施形態では、ハンドルは、少なくとも３つの回転自由度で操作される。いくつかの実施形態では、ハンドルは、少なくともピッチ、ロール、及びヨーで操作される。いくつかの実施形態では、ハンドルを操作することは、ジンバルを操作することを含む。
【０１３４】
ブロック２２４では、ハンドルをアドミタンス制御を介して操作して、ロボット医療用器具の対応する操作を引き起こす。いくつかの実施形態では、ハンドルは、１つ又は２つ以上の位置自由度又は並進自由度で操作される。いくつかの実施形態では、ハンドルは、少なくとも３つの位置自由度又は並進自由度で操作される。いくつかの実施形態では、ハンドルは、ｘ方向、ｙ方向、及びｚ方向に操作される。いくつかの実施形態では、ハンドルを操作することは、位置決めプラットフォームを操作することを含む。
【０１３５】
Ｅ．自由度制約を有するハイブリッドコントローラ
上記のハイブリッドコントローラは、概して、インピーダンス制御されたジンバル及びアドミタンス制御された位置決めプラットフォームを使用することができる。すなわち、上述のハイブリッドコントローラでは、ジンバルの３つの回転自由度は全て、インピーダンス制御を使用することができ、位置決めプラットフォームの３つの位置自由度全ては、アドミタンス制御を使用することができる。
【０１３６】
このセクションでは、インピーダンス制御されたジンバル（例えば、３つの回転自由度を有する）と、１つの自由度（例えば、垂直方向並進軸上）に対するアドミタンス制御下にある位置決めプラットフォームと、他の２つの自由度のためのインピーダンス制御とを含むことができる、追加のタイプのハイブリッドコントローラが記載される。したがって、このタイプのハイブリッドコントローラでは、アドミタンス制御に対する１つの自由度制約が存在し得る。すなわち、アドミタンス制御は、垂直並進自由度などの１つの自由度のみに限定又は制約される。
【０１３７】
本明細書に記載されるように、これは、（上述の３つの自由度のロードセル１１２とは対照的に）ジンバル内に１つの自由度のロードセルを提供することによって達成することができる。自由度制約を有するハイブリッドコントローラは、安定性、堅牢性、及びコスト低減などの多くの利点をもたらし得る。
【０１３８】
いくつかの実施形態では、１つの自由度のみに制約されたハイブリッドコントローラは、上述のコントローラ１０２と同じ又は類似の運動学的構造を含むことができる。例えば、１つの自由度のみに制約されたハイブリッドコントローラは、関節によって接続された複数のリンクを含む、上述のようなジンバル１０６及び位置決めプラットフォーム１０８を含み得る。しかしながら、１つの自由度のみに制約されたハイブリッドコントローラでは、ロードセル１１２は、単一方向のみの力を測定する１つの自由度ロードセルである。いくつかの実施形態では、ロードセル１１２は、重力方向のみの、又はカラム１１４の軸に沿って、力を測定するように構成される（図１６Ｃを参照）。
【０１３９】
一実施形態では、図１８に示すロードセル１１２は、１つの自由度のロードセルであり得る。別の実施形態では、図１９Ａ及び図１９Ｂに示されるロードセル１１２は、１つの自由度のロードセルであり得る。別の実施形態では、ロードセル１１２をジンバル１０６の第４の関節１３４の後方に（例えば、近位に）定置することが可能である（図１８及び図１９Ａを参照）。この実施形態は、（上述の実施形態と比較して）ロードセル１１２の遠位の質量を増加させることができる。いくつかの実施形態では、ロードセル１１２のより遠位の質量及び／又はロードセル１１２のより低い剛性は、導入される機械的振動周波数を低下させ、したがって、アドミタンス制御性能及び／又は安定性を悪化させる。１つの自由度ロードセル１１２に切り替えることにより、このタイプのハイブリッドコントローラは、ロードセル１１２の剛性、範囲、及び精度を増加させながら、パッケージサイズ、質量、及びコストを低減する可能性を有する一方で、より良好なアドミタンス性能及び／又は安定性をもたらすことができる。
【０１４０】
いくつかの実施形態では、自由度制約を有するハイブリッドコントローラの位置決めプラットフォーム１０８は、図１６に示される位置決めプラットフォーム１０２と同様であり得る。例えば、位置決めプラットフォームは、ワークスペースの垂直方向と整列された直動ベース軸を含んでもよい。位置決めプラットフォームはまた、ＳＣＡＲＡ構成に配設された２つの回転関節を含んでもよく、直動関節に対して垂直な平面運動を提供してもよい。いくつかの実施形態では、直動軸は、送りねじアクチュエータ又は線形アクチュエータのいずれかで実装され得る。いくつかの実施形態では、線形アクチュエータの使用は、バックラッシュを移動させることができ、駆動中のノイズを低減し、より少ないモータ慣性を有することができる。
【０１４１】
更に、いくつかの実施形態では、直接駆動電流はまた、より正確な垂直力測定及び／又は推定に使用され得る。平面ＳＣＡＲＡ部分上のインピーダンス制御を向上させるために、ＳＣＡＲＡ部分を駆動するモータは、高度に逆駆動可能にすることができる。いくつかの実施形態では、ＳＣＡＲの肘に関連するモータは、カラム１１４内に遠隔的に位置決めすることができる。これらの改善は、インピーダンス制御された平面位置決め自由度に対する質量を低減するために、位置決めプラットフォームの平面リンクの慣性を低減することができる。
【０１４２】
機械的振動周波数は、垂直アドミタンス制御の性能及び／又は安定性も同様に改善するために、慣性を低減させること及びギヤボックスコンプライアンスを除去又は低減することによって向上される。知覚された質量に関して、位置決めプラットフォーム（例えば、ＳＣＡＲＡ）の平面自由度上で、それらは同様かつ比較的均一であり、ジンバルの質量によって支配される。垂直軸に沿った原質量はより高くすることができるが、アドミタンス制御は、ワークスペース全体におけるより均一な性能のために、他の自由度の知覚された質量に一致するように調整することができる。１つの自由度のロードセル１１２を使用して、電流ベースの力測定の精度が十分でない場合に、直動作動の位置における垂直力を測定することができる。較正及びジンバル遠位力測定と組み合わされたこの情報は、垂直作動の遠位の任意の点における追加の垂直外力を推定することができる。したがって、安全性の向上のために全ての機械的短絡及び予期せぬ衝突を検出し、防止することができる。
【０１４３】
３．システムの実施及び用語
本明細書に開示される実装形態は、ロボット対応の医療システムのためのシステム、方法、及び装置を提供する。本明細書に記載される様々な実施形態は、ロボット対応の医療システムのためのコントローラを含む。
【０１４４】
本明細書で使用するとき、「結合する」、「結合している」、「結合された」という用語、又は単語結合の他の変形は、間接的接続又は直接的接続のいずれかを示し得ることに留意されたい。例えば、第１の構成要素が第２の構成要素に「結合される」場合、第１の構成要素は、別の構成要素を介して第２の構成要素に間接的に接続されるか、又は第２の構成要素に直接的に接続されてもよい。
【０１４５】
本明細書に記載の位置推定及びロボット運動作動機能は、プロセッサ可読媒体又はコンピュータ可読媒体上の１つ又は２つ以上の命令として記憶されてもよい。「コンピュータ可読媒体」という用語は、コンピュータ又はプロセッサによってアクセスすることができる任意の利用可能な媒体を指す。一例として、限定するものではないが、このような媒体は、ランダムアクセスメモリ（ＲＡＭ）、読み出し専用メモリ（ＲＯＭ）、電気的消去可能プログラム可能読み出し専用メモリ（ＥＥＰＲＯＭ）、フラッシュメモリ、コンパクトディスク読み出し専用メモリ（ＣＤ−ＲＯＭ）、又は他の光ディスク記憶装置、磁気ディスク記憶装置若しくは他の磁気記憶デバイス、又は命令若しくはデータ構造の形態で所望のプログラムコードを記憶するために使用することができ、コンピュータによってアクセスすることができる任意の他の媒体を含んでもよい。コンピュータ可読媒体は、有形であり、非一時的であってもよいことに留意されたい。本明細書で使用するとき、「コード」という用語は、コンピューティングデバイス又はプロセッサによって実行可能であるソフトウェア、命令、コード、又はデータを指し得る。
【０１４６】
本明細書に開示される方法は、記載される方法を達成するための１つ若しくは２つ以上の工程又は行為を含む。方法工程及び／又は行為は、特許請求の範囲から逸脱することなく互いに交換されてもよい。換言すれば、記載されている方法の適切な動作のために特定の順序の工程又は行為が必要とされない限り、請求項の範囲から逸脱することなく、特定の工程及び／又は行為の順序及び／又は使用を修正してもよい。
【０１４７】
本明細書で使用するとき、「複数」という用語は、２つ又は３つ以上を示す。例えば、複数の構成要素は、２つ又は３つ以上の構成要素を示す。「判定する」という用語は、多種多様な行為を包含し、したがって、「判定する」は、計算する、演算する、処理する、導出する、調査する、ルックアップする（例えば、テーブル、データベース又は別のデータ構造を見ること）、確認することなどを含むことができる。また、「判定する」は、受信すること（例えば、情報を受信すること）、アクセスすること（例えば、メモリ内のデータにアクセスすること）などを含むことができる。また、「判定する」は、解決する、選択する、選出する、確立するなどを含むことができる。
【０１４８】
「基づく」という句は、別途明示的に指定されない限り、「のみに基づく」ことを意味しない。換言すれば、「基づく」という句は、「のみに基づく」及び「少なくとも基づく」の両方を記載する。
【０１４９】
本明細書で使用するとき、「およそ」又は「約」という用語は、長さ、厚さ、量、期間、又は他の測定可能な値の測定範囲を指す。このような測定範囲は、開示される装置、システム、及び技術において機能するためにかかる変形が適切である限り、指定された値の＋／−１０％以下、好ましくは＋／−５％以下、より好ましくは＋／−１％以下、更により好ましくは＋／−０．１％以下の変動を包含する。
【０１５０】
開示される実施形態の前述の説明は、任意の当業者が本発明を製造すること、又は使用することを可能にするために提供される。これらの実施態様に対する種々の修正は、当業者には容易に明らかになり、かつ、本明細書で規定される一般的な原理は、本発明の範囲から逸脱することなく、他の実施態様に適用され得る。例えば、当業者であれば、締結、装着、結合、又は係合ツール構成要素の均等の方法、特定の作動運動を生み出すための均等の機構、及び電気エネルギーを送達するための均等の機構など、多くの対応する代替的かつ均等の構造的詳細を使用することができると理解されるであろう。したがって、本発明は、本明細書に示される実施形態に限定されることを意図するものではなく、本明細書に開示される原則及び新規な特徴と一致する最も広い範囲が与えられるものである。
【０１５１】
〔実施の態様〕
（１）  ロボット対応の遠隔操作システムであって、
コントローラ及び前記コントローラによる操作が可能なロボットツールを備え、前記コントローラが、
操作者による作動のために構成されたハンドルと、
前記ハンドルに結合され、複数の自由度で前記ハンドルの操作を可能にするように構成されたジンバルであって、前記ハンドルの操作が前記ロボットツールの対応する操作を引き起こすようにインピーダンス制御するように構成されている、ジンバルと、
前記ジンバルに結合され、複数の自由度で前記ハンドルの操作を可能にするように構成された位置決めプラットフォームであって、前記ハンドルの操作が前記ロボットツールの対応する操作を引き起こすように、アドミタンス制御するように構成されている、位置決めプラットフォームと、を備える、システム。
（２）  前記ロボットツールが、医療用器具である、実施態様１に記載のシステム。
（３）  前記ジンバルが、回転関節を介して前記位置決めプラットフォームに結合されている、実施態様１に記載のシステム。
（４）  前記ジンバルが、少なくとも３つの回転自由度での前記ハンドルの操作を可能にする、実施態様１に記載のシステム。
（５）  前記位置決めプラットフォームが、少なくとも３つの位置自由度での前記ハンドルの操作を可能にする、実施態様１に記載のシステム。
【０１５２】
（６）  前記ロボットツールに結合されたロボットアームを更に備え、前記ロボットツールが、カテーテル、スコープ、把持具、シーラー、又はカッターのうちの少なくとも１つを含む、実施態様１に記載のシステム。
（７）  前記ジンバル内に位置決めされたロードセルを更に備える、実施態様１に記載のシステム。
（８）  前記位置決めプラットフォームの前記アドミタンス制御は、前記ロードセルの出力信号に基づく、実施態様７に記載のシステム。
（９）  前記ジンバルが、遠位から近位に配設され、関節によって接続された少なくとも第１のリンク、第２のリンク、及び第３のリンクを含み、前記ロードセルが、前記第１のリンク内に位置決めされている、実施態様７に記載のシステム。
（１０）  前記関節が、外旋関節（revolute joints）である、実施態様９に記載のシステム。
【０１５３】
（１１）  前記ジンバルが、遠位から近位に配設され、リンクによって接続された少なくとも第１の関節、第２の関節、及び第３の関節を含み、前記ロードセルが、前記第２の関節の遠位に位置決めされている、実施態様７に記載のシステム。
（１２）  前記ジンバルが、遠位から近位に配設され、関節によって接続された少なくとも第１のリンク、第２のリンク、及び第３のリンクを含み、前記ロードセルが、前記第３のリンク内に位置決めされている、実施態様７に記載のシステム。
（１３）  前記ジンバルが、遠位から近位に配設され、リンクによって接続された少なくとも第１の関節、第２の関節、及び第３の関節を含み、前記ロードセルが、前記第３の関節の近位に位置決めされている、実施態様７に記載のシステム。
（１４）  前記ジンバルが、前記ロードセルの近位の構造を遮蔽し、それにより前記ロードセルの遠位端と遮蔽された前記構造との間の機械的短絡を防止するように構成された、前記ロードセルの前記遠位端に取り付けられたカバーを備える、実施態様７に記載のシステム。
（１５）  前記ジンバルの関節を制御するために前記ジンバル内に位置決めされたモータを更に備える、実施態様１に記載のシステム。
【０１５４】
（１６）  前記モータが、ケーブルドライブによって前記関節に接続されている、実施態様１５に記載のシステム。
（１７）  前記モータが、前記関節の近位に位置する、実施態様１６に記載のシステム。
（１８）  前記位置決めプラットフォームが、少なくとも１つの直動関節を含む、実施態様１に記載のシステム。
（１９）  前記直動関節の運動軸が、重力の方向と整列している、実施態様１８に記載のシステム。
（２０）  前記ジンバルが、関節によって前記位置決めプラットフォームに結合され、前記関節の軸が、前記重力の方向と整列している、実施態様１９に記載のシステム。
【０１５５】
（２１）  ロボット対応の遠隔操作システムであって、
コントローラ及び前記コントローラによる操作が可能なロボットツールを備え、前記コントローラが、
操作者による作動のために構成されたハンドルと、
前記ハンドルに結合され、複数の自由度で前記ハンドルの操作を可能にするように構成されたジンバルであって、前記ジンバルが、ロードセルを備え、前記ジンバルの少なくとも２つの軸の動作が、前記ロードセルのどの出力信号にも基づかない、ジンバルと、
前記ジンバルに結合され、複数の自由度で前記ハンドルの操作を可能にするように構成された位置決めプラットフォームと、を備え、
前記ハンドルが、前記ジンバル内の前記ロードセルの出力信号に少なくとも部分的に基づいて、アドミタンス制御するように構成されている、システム。
（２２）  前記ジンバルが、遠位から近位に配設され、関節によって接続された少なくとも第１のリンク、第２のリンク、及び第３のリンクを含み、前記ロードセルが、前記第１のリンク内に位置決めされている、実施態様２１に記載のシステム。
（２３）  前記ロードセルの近位の構造を遮蔽し、それにより前記ロードセルの遠位端と遮蔽された前記構造との間の機械的短絡を防止するように構成された、前記ロードセルの前記遠位端に取り付けられたカバーを更に備える、実施態様２２に記載のシステム。
（２４）  前記ジンバルが、遠位から近位に配設され、リンクによって接続された少なくとも第１の関節、第２の関節、及び第３の関節を含み、前記ロードセルが、前記第２の関節の遠位に位置決めされている、実施態様２１に記載のシステム。
（２５）  前記ジンバルが、遠位から近位に配設され、関節によって接続された少なくとも第１のリンク、第２のリンク、及び第３のリンクを含み、前記ロードセルが、前記第３のリンク内に位置決めされている、実施態様２１に記載のシステム。
【０１５６】
（２６）  前記ジンバルが、遠位から近位に配設され、リンクによって接続された少なくとも第１の関節、第２の関節、及び第３の関節を含み、前記ロードセルが、前記第３の関節の近位に位置決めされている、実施態様２１に記載のシステム。
（２７）  前記ジンバルの関節を制御するために前記ジンバル内に位置決めされたモータを更に備える、実施態様２１に記載のシステム。
（２８）  前記モータが、ケーブルドライブによって前記関節に接続されている、実施態様２７に記載のシステム。
（２９）  前記モータが、前記関節の近位に位置する、実施態様２８に記載のシステム。
（３０）  遠隔操作方法であって、
インピーダンス制御を介してコントローラの回転を駆動することと、
アドミタンス制御を介してコントローラの並進を駆動することと、
インピーダンス及び／又はアドミタンス制御に基づいて前記コントローラからの出力信号を送達することと、
前記出力信号に基づいて前記遠隔操作ツールの運動を駆動することと、を含む、方法。
【０１５７】
（３１）  前記出力信号が、前記コントローラのハンドルの前記回転及び／又は位置に基づいている、実施態様３０に記載の方法。
（３２）  インピーダンス制御を介して前記コントローラの回転を駆動することが、前記コントローラのハンドルを回転させることを含む、実施態様３０に記載の方法。
（３３）  前記ハンドルが、複数の自由度で前記ハンドルの操作を可能にするように構成されたジンバルに取り付けられている、実施態様３２に記載の方法。
（３４）  前記ジンバルが、ロードセルを備える、実施態様３３に記載の方法。
（３５）  アドミタンス制御を介してコントローラの並進を駆動することが、前記コントローラの前記ハンドルを並進させることを含み、前記アドミタンス制御が、前記ロードセルの出力に基づいている、実施態様３４に記載の方法。
【０１５８】
（３６）  前記ジンバルが、遠位から近位に配設され、関節によって接続された少なくとも第１のリンク、第２のリンク、及び第３のリンクを含み、前記ロードセルが、前記第１のリンク内に位置決めされている、実施態様３５に記載の方法。
（３７）  前記ジンバルが、遠位から近位に配設され、リンクによって接続された少なくとも第１の関節、第２の関節、及び第３の関節を含み、前記ロードセルが、前記第２の関節の遠位に位置決めされている、実施態様３５に記載の方法。
（３８）  前記ジンバルが、遠位から近位に配設され、関節によって接続された少なくとも第１のリンク、第２のリンク、及び第３のリンクを含み、前記ロードセルが、前記第３のリンク内に位置決めされている、実施態様３５に記載の方法。
（３９）  前記ジンバルが、遠位から近位に配設され、リンクによって接続された少なくとも第１の関節、第２の関節、及び第３の関節を含み、前記ロードセルが、前記第３の関節の近位に位置決めされている、実施態様３５に記載の方法。
（４０）  遠隔操作方法であって、
遠隔操作されたロボットツールの対応する操作を引き起こすようにコントローラを操作することを含み、前記コントローラを操作することが、
前記遠隔操作されたロボットツールの対応する操作を引き起こすために、前記コントローラのハンドルをインピーダンス制御を通して少なくとも３つの回転自由度で操作することと、
前記遠隔操作されたロボットツールの対応する操作を引き起こすために、前記コントローラの前記ハンドルをアドミタンス制御を通して少なくとも３つの位置自由度で操作することと、を含む、方法。
【０１５９】
（４１）  前記ハンドルを前記少なくとも３つの回転自由度で操作することが、ジンバルを操作することを含む、実施態様４０に記載の方法。
（４２）  前記ハンドルを前記少なくとも３つの回転自由度で操作することが、前記ハンドルを少なくともピッチ、ロール、及びヨーで操作することを含む、実施態様４０に記載の方法。
（４３）  前記ハンドルを前記少なくとも３つの位置自由度で操作することが、位置決めプラットフォームを操作することを含む、実施態様４０に記載の方法。
（４４）  前記ハンドルを前記少なくとも３つの位置自由度で操作することが、前記ハンドルを少なくともｘ方向、ｙ方向、及びｚ方向で操作することを含む、実施態様４０に記載の方法。
（４５）  ロボット対応の遠隔操作システムであって、
遠隔操作されたロボットツールを操作するためのマニピュレータであって、前記マニピュレータが、カラムに動作可能に結合された最近位リンクと、最遠位リンクと、を含むリンクによって形成された複数の関節を備え、前記最近位リンクが、前記最遠位リンクよりも前記カラムに近接して位置決めされている、マニピュレータと、
前記複数のリンクのうちの少なくとも１つの内部に位置決めされたロードセルであって、前記複数の関節の第１の組が、前記ロードセルの近位に位置決めされ、前記複数の関節の第２の組が、前記ロードセルの遠位に位置決めされ、前記複数の関節の前記第２の組は、その移動が前記ロードセルからの出力信号に基づかない少なくとも１つの関節を含む、ロードセルと、を備える、システム。
【０１６０】
（４６）  前記マニピュレータが、シリアルリンクマニピュレータを備える、実施態様４５に記載のシステム。
（４７）  前記マニピュレータが、パラレルリンクマニピュレータを備える、実施態様４５に記載のシステム。
（４８）  前記マニピュレータが、前記複数のリンクによって形成されたハンドルと、ジンバルと、位置決めプラットフォームと、を備える、実施態様４５に記載のシステム。
（４９）  前記ジンバルが、外旋関節によって前記位置決めプラットフォームに結合されている、実施態様４８に記載のシステム。
（５０）  前記ロードセルの近位にある前記複数の関節の前記第１の組が、位置決めプラットフォームの一部である、実施態様４５に記載のシステム。
【０１６１】
（５１）  前記位置決めプラットフォームの前記操作が、前記ロードセルの出力信号に基づいている、実施態様５０に記載のシステム。
（５２）  前記ロードセルの遠位にある前記複数の関節の前記第２の組が、ジンバルの一部である、実施態様４５に記載のシステム。
（５３）  ロボット対応のシステムであって、
コントローラであって、
操作者による作動のために構成されたハンドルと、
前記ハンドルに結合され、複数の自由度で前記ハンドルの操作を可能にするように構成されたジンバルであって、インピーダンス制御するように構成されている、ジンバルと、
前記ジンバルに結合され、複数の自由度で前記ハンドルの操作を可能にするように構成された位置決めプラットフォームであって、アドミタンス制御するように構成されている、位置決めプラットフォームと、を備える、コントローラを備える、システム。
（５４）  前記コントローラが、遠隔操作されたロボットツールを操作する、実施態様５３に記載のシステム。
（５５）  前記コントローラが、仮想環境内で物体を操作する、実施態様５３に記載のシステム。
【図１】
2021522894.tif 000003
【図２】
2021522894.tif 000004
【図３】
2021522894.tif 000005
【図４】
2021522894.tif 000006
【図５】
2021522894.tif 000007
【図６】
2021522894.tif 000008
【図７】
2021522894.tif 000009
【図８】
2021522894.tif 000010
【図９】
2021522894.tif 000011
【図１０】
2021522894.tif 000012
【図１１】
2021522894.tif 000013
【図１２】
2021522894.tif 000014
【図１３】
2021522894.tif 000015
【図１４】
2021522894.tif 000016
【図１５】
2021522894.tif 000017
【図１６Ａ】
2021522894.tif 000018
【図１６Ｂ】
2021522894.tif 000019
【図１６Ｃ】
2021522894.tif 000020
【図１７】
2021522894.tif 000021
【図１８】
2021522894.tif 000022
【図１９Ａ】
2021522894.tif 000023
【図１９Ｂ】
2021522894.tif 000024
【図２０Ａ】
2021522894.tif 000025
【図２０Ｂ】
2021522894.tif 000026
【図２０Ｃ】
2021522894.tif 000027
【図２０Ｄ】
2021522894.tif 000028
【図２１】
2021522894.tif 000029
【図２２】
2021522894.tif 000030
【国際調査報告】
2021522894.tif 000031
2021522894.tif 000032
2021522894.tif 000033